(57)【要約】  通信システムにおいて実行されるビーム特定方法、下り伝送の復号方法及びそのユーザ装置と基地局を開示する。基地局は、複数の送信ビームを有し、複数のビームにおいて下り制御情報と下りデータ情報を送信するビームを動的に選択することができる。ユーザ装置によって実行される下り伝送の復調方法は、基地局の複数の送信ビームのうちのＭ個の好適ビームを特定するステップと、Ｍ個の好適ビームのうちのＮ個の好適ビームのいずれか１つ又は複数に対応する１つ又は複数の受信ビームにより、基地局から送信される下り制御情報を受信し、Ｎ≦Ｍであるステップと、を含み、下り制御情報の送信期間において、基地局が、Ｎ個の好適ビームにより、同じ下り制御情報を含むシグナリングを送信する。
2020500466.tif 000002
【特許請求の範囲】
【請求項１】
複数の送信ビームを有する基地局と、ユーザ装置とを備える通信システムにおいて、ユーザ装置によって実行されるビーム特定方法であって、
前記基地局の送信ビームに対するＣＳＩフィードバックを前記基地局に送信するステップと、
所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信された下り制御情報を受信するステップと、を含む、ビーム特定方法。
【請求項２】
前記所定時間ウィンドウは、予め特定される、又は、ＲＲＣシグナリングによって設定される、請求項１に記載の方法。
【請求項３】
前記所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定するステップは、
所定時間ウィンドウの後に所定遅延期間が経過してから、前記基地局の第１の送信ビームを特定するステップ、を含む、請求項１に記載の方法。
【請求項４】
前記所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定するステップは、
前記基地局の送信ビームのＣＳＩフィードバックにおけるチャネル状態指示パラメータに基づいて、基地局の第１の送信ビームを選択するステップ、を含む、請求項１に記載の方法。
【請求項５】
前記チャネル状態指示パラメータは、ＣＱＩであり、
前記基地局の第１の送信ビームを特定するステップは、
前記所定時間ウィンドウにおいて、前記基地局の複数の送信ビームのうちから、最も高いＣＱＩを有するビームを第１の送信ビームとして選択するステップ、
前記所定時間ウィンドウにおいて、前記基地局の複数の送信ビームが複数回のＣＳＩフィードバックを有する場合に、最も高い平均ＣＱＩを有するビームを第１の送信ビームとして選択するステップ、
前記所定時間ウィンドウにおいて、前記基地局の複数の送信ビームのうちから、ＣＱＩが所定閾値より大きく、かつ対応するＣＳＩフィードバックタイミングと前記所定時間ウィンドウの終了点との距離が最も近いビームを、第１の送信ビームとして選択するステップ、或いは、
前記所定時間ウィンドウにおいて、前記基地局の複数の送信ビームが複数回のＣＳＩフィードバックを有する場合に、ＣＱＩが所定閾値を超える回数が参照回数より大きい、又は平均ＣＱＩが所定閾値より大きいビームであって、対応するＣＳＩフィードバックタイミングと前記所定時間・ウィンドウの終了点との距離が最も近いビームを、第１の送信ビームとして選択するステップ、のいずれか１つを含む、請求項４に記載の方法。
【請求項６】
前記第１の送信ビームに対応する第１の受信ビームにより、前記基地局から前記第１の送信ビームにより送信された下りデータ情報を受信するステップ、或いは、
受信した下り制御情報に含まれる、下りデータチャネルのビームを指示する情報により、前記基地局の下りデータ情報送信用の送信ビームを特定するステップ、をさらに含む、請求項１〜５のいずれか一項に記載の方法。
【請求項７】
複数の送信ビームを有する基地局と、ユーザ装置とを備える通信システムにおいて、基地局によって実行されるビーム特定方法であって、
ユーザ装置から送信される前記基地局の送信ビームに対するＣＳＩフィードバックを受信するステップと、
所定時間ウィンドウ内の前記基地局の送信ビームのＣＳＩフィードバックに基づいて、所定時間ウィンドウ範囲内のＣＳＩフィードバックを有する基地局の送信ビームの全てのうちから、基地局の第１の送信ビームを特定すると共に、前記第１の送信ビームにより下り制御情報を送信するステップと、を含む、ビーム特定方法。
【請求項８】
前記所定時間ウィンドウは、予め定められる、又はＲＲＣシグナリングによって設定される、請求項７に記載の方法。
【請求項９】
前記第１の送信ビームにより、下りデータ情報を前記ユーザ装置に送信するステップ、或いは、
前記下り制御情報に含まれる、下りデータチャネルのビームを指示する情報により、下りデータ情報送信用の送信ビームを前記ユーザ装置に通知するステップ、をさらに含む、請求項７又は８に記載の方法。
【請求項１０】
複数の送信ビームを有する基地局を含む通信システムにおけるユーザ装置であって、
前記基地局の送信ビームに対するＣＳＩフィードバックを前記基地局に送信するように構成されるフィードバック部と、
所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信される下り制御情報を受信するように構成されるビーム特定部と、を含む、ユーザ装置。
【請求項１１】
ユーザ装置を含む通信システムにおける、複数の送信ビームを有する基地局であって、
ユーザ装置から送信される、前記基地局の送信ビームに対するＣＳＩフィードバックを受信するように構成される受信部と、
所定時間ウィンドウ内の前記基地局の送信ビームのＣＳＩフィードバックに基づいて、所定時間ウィンドウ範囲内のＣＳＩフィードバックを有する基地局の送信ビームの全てのうちから、基地局の第１の送信ビームを特定すると共に、前記第１の送信ビームにより下り制御情報を送信するように構成される第１の送信部と、を含む、基地局。
【請求項１２】
複数の送信ビームを有する基地局と、ユーザ装置とを備える通信システムにおいて、ユーザ装置によって実行される下り伝送の復調方法であって、
前記基地局の複数の送信ビームのうちのＭ個の好適ビームを特定するステップと、
前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであるステップと、を含み、
前記下り制御情報の送信期間において、前記基地局が前記Ｎ個の好適ビームにより、同じ下り制御情報を含むシグナリングを送信する、方法。
【請求項１３】
前記基地局のＭ個の好適ビームのうちから、前記基地局の送信ビームのＣＳＩフィードバックによりＮ個の好適ビームを選択することで、前記基地局が前記Ｎ個の好適ビームにより下り制御情報を送信するステップ、をさらに含む、請求項１２に記載の方法。
【請求項１４】
Ｎは、予め特定される、或いは、報知情報又はＲＲＣシグナリングによって設定される、請求項１３に記載の方法。
【請求項１５】
受信した下り制御情報に含まれる、下りデータチャネルのビームを指示する情報により、前記基地局の下りデータ情報送信用の送信ビームを特定するステップ、をさらに含む、請求項１２〜１４のいずれか一項に記載の方法。
【請求項１６】
複数の送信ビームを有する基地局と、ユーザ装置とを備える通信システムにおいて、基地局によって実行される下り伝送の復調方法であって、
前記基地局の複数の送信ビームのうちから、Ｍ個の好適ビームを特定するステップと、
前記Ｍ個の好適ビームのうちのＮ個の好適ビームにより、同じ下り制御情報を含むシグナリングを送信し、Ｎ≦Ｍであるステップと、を含む、方法。
【請求項１７】
前記下り制御情報に含まれる、下りデータチャネルのビームを指示する情報により、下りデータ情報送信用の送信ビームを前記ユーザ装置に通知するステップ、をさらに含む、請求項１６に記載の方法。
【請求項１８】
複数の送信ビームを有する基地局を含む通信システムにおけるユーザ装置であって、
前記基地局の複数の送信ビームのうちのＭ個の好適ビームを特定するように構成される第１の優先選択部と、
前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであるように構成される情報受信部と、を含み、
前記下り制御情報の送信期間において、前記基地局が前記Ｎ個の好適ビームにより、同じ下り制御情報を含むシグナリングを送信する、ユーザ装置。
【請求項１９】
ユーザ装置を含む通信システムにおける、複数の送信ビームを有する基地局であって、
前記基地局の複数の送信ビームのうちのＭ個の好適ビームを特定するように構成される第２の優先選択部と、
前記Ｍ個の好適ビームのうちのＮ個の好適ビームにより、同じ下り制御情報を含むシグナリングを送信し、Ｎ≦Ｍであるように構成される第２の送信部と、を含む、基地局。
【請求項２０】
複数の送信ビームを有する基地局と、ユーザ装置とを備える通信システムにおいて、ユーザ装置によって実行される下り伝送の復調方法であって、
サーチスペース設定における、１つ又は複数の時間周波数要素を含むブラインド復号候補リソースブロックと、前記基地局の送信ビームとの関係を特定するステップと、
前記ブラインド復号候補リソースブロックにおいて、前記関係に基づいて前記基地局の送信ビームを特定すると共に、前記基地局の送信ビームに対応する受信ビームを用いて、基地局から送信される下り制御情報を受信し、前記下り制御情報に対応するリソースブロック及び対応する第２の送信ビームを取得するステップと、を含む、方法。
【請求項２１】
前記ブラインド復号候補リソースブロックと前記基地局の送信ビームとの関係は、予め特定される、或いは、報知情報又はＲＲＣシグナリングによって設定される、請求項２０に記載の方法。
【請求項２２】
前記第２の送信ビームに対応する第２の受信ビームにより、前記基地局から送信される下りデータ情報を受信するステップ、或いは、
受信した下り制御情報に含まれる、下りデータチャネルのビームを指示する情報により、前記基地局の下りデータ情報送信用の送信ビームを特定するステップ、をさらに含む、請求項２０又は２１に記載の方法。
【請求項２３】
複数の送信ビームを有する基地局と、ユーザ装置とを備える通信システムにおいて、基地局によって実行される下り伝送の復調方法であって、
サーチスペース設定における、１つ又は複数の時間周波数要素を含むブラインド復号候補リソースブロックと、前記基地局の送信ビームとの関係を特定するステップと、
下り制御情報送信用の第２の送信ビームを特定すると共に、前記関係に基づいて、特定される第２の送信ビームに対応する前記ブラインド復号候補リソースにおいて前記下り制御情報を送信するステップと、を含む、方法。
【請求項２４】
前記ブラインド復号候補リソースブロックと前記基地局の送信ビームとの関係は、予め特定される、或いは、報知情報又はＲＲＣシグナリングによって設定される、請求項２３に記載の方法。
【請求項２５】
特定される第２の送信ビームにより、下りデータ情報を前記ユーザ装置に送信するステップ、或いは、
前記下り制御情報に含まれるビームを指示する情報により、下りデータ情報送信用の送信ビームを前記ユーザ装置に送信するステップ、をさらに含む、請求項２３又は２４に記載の方法。
【請求項２６】
複数の送信ビームを有する基地局を含む通信システムにおけるユーザ装置であって、
サーチスペース設定における、１つ又は複数の時間周波数要素を含むブラインド復号候補リソースブロックと前記基地局の送信ビームとの関係を特定するように構成される第１の関係特定部と、
前記ブラインド復号候補リソースブロックにおいて、前記関係に基づいて前記基地局の送信ビームを特定すると共に、前記基地局の送信ビームに対応する受信ビームを用いて、基地局から送信される下り制御情報を受信し、前記下り制御情報に対応するリソースブロック及び対応する第２の送信ビームを取得するように構成されるブラインド復号受信部と、を含む、ユーザ装置。
【請求項２７】
ユーザ装置を含む通信システムにおける、複数の送信ビームを有する基地局であって、
サーチスペース設定における、１つ又は複数の時間周波数要素を含むブラインド復号候補リソースブロックと前記基地局の送信ビームとの関係を特定するように構成される第２の関係特定部と、
下り制御情報送信用の第２の送信ビームを特定すると共に、前記関係に基づいて、特定される第２の送信ビームに対応する前記ブラインド復号候補リソースブロックにおいて、前記下り制御情報を送信するように構成される第３の送信部と、を含む、基地局。
【発明の詳細な説明】
【技術分野】
【０００１】
本開示は、通信分野に関し、具体的には、通信システムにおいて実行されるビーム特定方法、下り伝送復調方法、及びそのユーザ装置と基地局に関する。
【背景技術】
【０００２】
５Ｇの高周波シナリオ、又は、ユーザ装置（ＵＥ）がデュアルコネクティビティ（ｄｕａｌ  Ｃｏｎｎｅｃｔｉｖｉｔｙ）により５Ｇの送受信ポイント（基地局）又はロングタームエボリューション（ＬＴＥ）基地局に接続するシナリオにおいて、ＵＥと基地局においてビームフォーミング技術を使用すること、すなわち基地局とＵＥが複数のビームを用いて信号の送信と受信を行うことを提案する。基地局の各送信ビームと、ＵＥの各受信ビームとは、１つの下りリンクビームペアを形成し、且つ、基地局の各受信ビームと、ＵＥの各送信ビームとは、１つの上りリンクビームペアを形成することができる。しかし、各下りリンクビームペアによって伝送される信号は、必ずしもＵＥにおいて良好な受信品質を得るわけではない。また、各上りリンクビームペアによって伝送される信号は、必ずしも基地局において良好な受信品質を得るわけではない。
【発明の概要】
【発明が解決しようとする課題】
【０００３】
したがって、無線通信システムの性能を向上するために、下り制御情報と下りデータ情報の伝送過程において、基地局の好適送信ビームとＵＥの好適受信ビームを特定する必要がある。これによって、ＵＥは、基地局から送信される下り情報を受信する過程において前記好適ビームを使用することができる。しかし、現在、どのように基地局の好適送信ビームとＵＥの好適受信ビームを特定するか、及び、下り伝送においてどのように下り制御情報と下りデータ情報を復調することで伝送品質を向上するかについてはまだ提案されていない。
【課題を解決するための手段】
【０００４】
本開示に係る一実施例は、複数の送信ビームを有する基地局と、ユーザ装置とを備える通信システムにおいて、ユーザ装置によって実行されるビーム特定方法を提供する。前記方法は、前記基地局の送信ビームに対するＣＳＩフィードバックを基地局に送信するステップと、所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信された下り制御情報を受信するステップと、を含み、前記送信ビームは、ＣＳＩ−ＲＳベースのビームであってもよく、同期信号ブロック（Ｓｙｎｃｈｒｏｎｉｚａｔｉｏｎ  Ｓｉｇｎａｌ  ｂｌｏｃｋ、ＳＳ  ｂｌｏｃｋ）ベースのビームであってもよい。
【０００５】
本開示に係る他の実施例は、複数の送信ビームを有する基地局と、ユーザ装置とを備える通信システムにおいて、基地局によって実行されるビーム特定方法を提供する。前記方法は、ユーザ装置から送信される前記基地局の送信ビームに対するＣＳＩフィードバックを受信するステップと、所定時間ウィンドウ内の前記基地局の送信ビームのＣＳＩフィードバックに基づいて、所定時間ウィンドウ範囲内のＣＳＩフィードバックを有する基地局の送信ビームの全てのうちから、基地局の第１の送信ビームを特定すると共に、前記第１の送信ビームにより下り制御情報を送信するステップと、を含む。
【０００６】
本開示に係る他の実施例は、複数の送信ビームを有する基地局を含む通信システムにおけるユーザ装置を提供する。前記ユーザ装置は、前記基地局の送信ビームに対するＣＳＩフィードバックを基地局に送信するように構成されるフィードバック部と、所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信される下り制御情報を受信するように構成されるビーム特定部と、を含む。
【０００７】
本開示に係る他の実施例は、ユーザ装置を含む通信システムにおける、複数の送信ビームを有する基地局を提供する。前記基地局は、ユーザ装置から送信される、前記基地局の送信ビームに対するＣＳＩフィードバックを受信するように構成される第１の受信部と、所定時間ウィンドウ内の前記基地局の送信ビームのＣＳＩフィードバックに基づいて、所定時間ウィンドウ範囲内のＣＳＩフィードバックを有する基地局の送信ビームの全てのうちから、基地局の第１の送信ビームを特定すると共に、前記第１の送信ビームにより下り制御情報を送信するように構成される第１の送信部と、を含む。
【０００８】
本開示に係る他の実施例は、複数の送信ビームを有する基地局と、ユーザ装置とを備える通信システムにおいて、ユーザ装置によって実行される下り伝送の復調方法を提供する。前記方法は、前記基地局の複数の送信ビームのうちのＭ個の好適ビームを特定するステップと、前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであるステップと、を含み、前記下り制御情報の送信期間において、前記基地局が、前記Ｎ個の好適ビームにより、同じ下り制御情報を含むシグナリングを送信する。
【０００９】
本開示に係る他の実施例は、複数の送信ビームを有する基地局と、ユーザ装置とを備える通信システムにおいて、基地局によって実行される下り伝送の復調方法を提供する。前記方法は、前記基地局の複数の送信ビームのうちのＭ個の好適ビームを特定するステップと、前記Ｍ個の好適ビームのうちのＮ個の好適ビームにより、同じ下り制御情報を含むシグナリングを送信し、Ｎ≦Ｍであるステップと、を含む。
【００１０】
本開示に係る他の実施例は、複数の送信ビームを有する基地局を含む通信システムにおけるユーザ装置を提供する。前記ユーザ装置は、前記複数の送信ビームのうちの複数の好適ビームの情報を基地局に報告するように構成される報告部と、前記複数の好適ビームのうちのいずれか１つ又は複数の好適ビームに対応する１つ又は複数の受信ビームにより、前記基地局から送信される下り制御情報を受信するように構成される情報受信部を含み、前記下り制御情報の送信期間において、前記基地局が、前記複数の好適ビームにより、同じ下り制御情報を含む複数のシグナリングを送信する。
【００１１】
本開示に係る他の実施例は、ユーザ装置を含む通信システムにおける、複数の送信ビームを有する基地局を提供する。前記基地局は、前記基地局の複数の送信ビームのうちのＭ個の好適ビームを特定するように構成される第１の優先選択部と、前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであるように構成される情報受信部とを含み、前記下り制御情報の送信期間において、前記基地局が、前記Ｎ個の好適ビームにより、同じ下り制御情報を含むシグナリングを送信する。
【００１２】
本開示に係る他の実施例は、複数の送信ビームを有する基地局と、ユーザ装置とを備える通信システムにおいて、ユーザ装置によって実行される下り伝送の復調方法を提供する。前記方法は、サーチスペース設定における、１つ又は複数の時間周波数要素を含むブラインド復号候補リソースブロックと、前記基地局の送信ビームとの関係を特定するステップと、前記ブラインド復号候補リソースブロックにおいて、前記関係に基づいて前記基地局の送信ビームを特定すると共に、前記基地局の送信ビームに対応する受信ビームを用いて、基地局から送信される下り制御情報を受信し、前記下り制御情報に対応するリソースブロック及び対応する第２の送信ビームを取得するステップと、を含む。
【００１３】
本開示に係る他の実施例は、複数の送信ビームを有する基地局と、ユーザ装置とを備える通信システムにおいて、基地局によって実行される下り伝送の復調方法を提供する。前記方法は、サーチスペース設定における、ＰＤＣＣＨをブラインド復号する候補リソースブロックと、前記基地局の送信ビームとの関係を特定し、前記ＰＤＣＣＨをブラインド復号する候補リソースブロックが１つ又は複数の時間周波数要素を含むものであるステップと、下り制御情報送信用の第２の送信ビームを特定すると共に、前記関係に基づいて、特定される第２の送信ビームに対応する前記リソースブロックにおいて前記下り制御情報を送信するステップと、を含む。
【００１４】
本開示に係る他の実施例は、複数の送信ビームを有する基地局を含む通信システムにおけるユーザ装置を提供する。前記ユーザ装置は、サーチスペース設定における、ＰＤＣＣＨをブラインド復号する候補リソースブロックと、前記基地局の送信ビームとの関係を特定し、前記ブラインド復号候補リソースブロックが１つ又は複数の時間周波数要素を含むものであるように構成される第１の関係特定部と、前記ブラインド復号候補リソースブロックにおいて、前記関係に基づいて前記基地局の送信ビームを特定すると共に、前記基地局の送信ビームに対応する受信ビームを用いて、基地局から送信される下り制御情報を受信し、前記下り制御情報に対応するリソースブロック及び対応する第２の送信ビームを取得するように構成されるブラインド復号受信部と、を含む。
【００１５】
本開示に係る他の実施例は、ユーザ装置を含む通信システムにおける、複数の送信ビームを有する基地局を提供する。前記基地局は、サーチスペース設定における、１つ又は複数の時間周波数要素を含むブラインド復号候補リソースブロックと、前記基地局の送信ビームとの関係を特定するように構成される第２の関係特定部と、下り制御情報送信用の第２の送信ビームを特定すると共に、前記関係に基づいて、特定される第２の送信ビームに対応する前記リソースブロックにおいて、前記下り制御情報を送信するように構成される第３の送信部と、を含む。
【発明の効果】
【００１６】
本開示に係る実施例による通信システムにおいて実行されるビーム特定方法、下り伝送の復調方法及び対応するユーザ装置と基地局によれば、ユーザ装置は、基地局との間の通信インタラクションを用いて基地局の送信ビームを特定すると共に、その特定される基地局の送信ビームにより、対応する受信ビームを選択し、基地局から送信される下り制御情報と下りデータ情報を受信して復号することができる。これによって、通信ネットワークにおける情報の伝送品質が向上される。
【図面の簡単な説明】
【００１７】
本開示の上記及びその他の目的、特徴、メリットは、添付図面を併せて本発明の実施例を詳しく説明することにより、より明らかになるであろう。図面は、本開示の実施例に対する更なる理解を提供し、明細書の一部分となり、本開示の実施例を併せて本開示を解釈するためのものであり、本開示を限定するものではない。図面において、同一の参照記号は、常に同一の部材又はステップを示す。
【図１】本開示の実施例に係る移動通信システムを示す模式図である。
【図２】本開示の実施例の情報伝送例を例示的に示す例示図である。
【図３】本開示の第１の実施例に係る、ユーザ装置によって実行されるビーム特定方法のフローチャートである。
【図４】本開示の第１の実施例において基地局側とＵＥ側がそれぞれ送信と受信ビームの選択を行うことを示す模式図である。
【図５】本開示の第１の実施例において所定時間ウィンドウｘがスライディングウィンドウである例を示す模式図である。
【図６】本開示の第１の実施例に係る、基地局によって実行されるビーム特定方法のフローチャートである。
【図７】本開示の第１の実施例に係るＵＥの構成ブロック図である。
【図８】本開示の第１の実施例に係る基地局の構成ブロック図である。
【図９】本開示の第２の実施例に係る、ユーザ装置によって実行されるビーム特定方法のフローチャートである。
【図１０】本開示の第２の実施例に係る、サーチスペースＣＤＭビーム走査（ｂｅａｍ  ｓｗｅｅｐｉｎｇ）の例示図である。
【図１１】本開示の第２の実施例に係る、サーチスペースＴＤＭビーム走査の例示図である。
【図１２】本開示の第２の実施例に係る、サーチスペースＦＤＭビーム走査の例示図である。
【図１３】本開示の第２の実施例に係る、基地局によって実行されるビーム特定方法のフローチャートである。
【図１４】本開示の第２の実施例に係るＵＥの構成ブロック図である。
【図１５】本開示の第２の実施例に係る基地局の構成ブロック図である。
【図１６】本開示の第３の実施例に係る、ユーザ装置によって実行されるビーム特定方法のフローチャートである。
【図１７】本開示の第３の実施例におけるブラインド復号候補リソースブロックのサーチスペース設定の模式図である。
【図１８】本開示の第３の実施例におけるブラインド復号候補リソースブロックのサーチスペース設定の模式図である。
【図１９】本開示の第３の実施例に係る、基地局によって実行されるビーム特定方法のフローチャートである。
【図２０】本開示の第３の実施例に係るＵＥの構成ブロック図である。
【図２１】本開示の第３の実施例に係る基地局の構成ブロック図である。
【発明を実施するための形態】
【００１８】
本開示の目的、技術案及びメリットをより明確にするために、以下、図面を参照しながら、本開示の例示的な実施例を詳しく説明する。勿論、ここで説明された実施例は、ただ本開示の実施例の一部だけであり、本開示の全ての実施例ではない。本発明は、ここで説明された例示的な実施例に限定されないことは理解されるであろう。本開示で説明された本開示の実施例に基づき、当業者が創造的な活動をしない前提で得られる他の実施例は全て本開示の保護範囲に含まれる。
【００１９】
まず、図１を参照しながら本開示の実施例に係る無線通信システムについて説明する。図１に示すように、当該無線通信システムは、基地局１０とユーザ装置（ＵＥ）２０とを含むことができる。ＵＥ２０は、基地局１０から送信される下りＰＤＣＣＨとＰＤＳＣＨを受信することができる。なお、１つの基地局と１つのＵＥが図１に示されているが、それはただ例示的なものであり、当該無線通信システムは１つ又は複数の基地局と１つ又は複数のＵＥを含むことができる。また、基地局１０は、送受信ポイント（ＴＲＰ）であってもよく、又は同一の中央処理ユニットを用いて複数のＴＲＰをスケジューリング・管理してもよい。以下、用語「基地局」と「ＴＲＰ」は、互換的に使用されうる。
【００２０】
上記の過程において、基地局１０は、複数の指向性アンテナ、即ち複数の送信ビームを有することができる。よって、複数の送信ビームで信号をＵＥに送信することができる。また、いくつかのシナリオにおいて、ＵＥ２０は、複数の指向性アンテナ、即ち複数の受信ビームを有することができる。よって、複数の受信ビームで基地局から送信される信号を受信することができる。ここで、ＵＥ２０は、基地局から送信される情報を、全ての受信ビームを用いて受信してもよく、全ての受信ビームのうちから一定数の受信ビームを選択して情報を受信してもよく、複数の受信ビームを用いて准全方向性アンテナを構成して情報を受信してもよい。他のいくつかのシナリオにおいて、ＵＥ２０は、全方向性アンテナを有することができる。よって、１つのビーム（全方向性ビーム）のみで情報を送信・受信する。本開示の実施例のビーム特定方法は、ＵＥ２０が複数の受信ビームを有するシナリオと、ＵＥ２０が全方向性アンテナを有するシナリオとの両方に適用する。
【００２１】
図２は、本開示の実施例に係る情報伝送の例示図である。図２に示すように、基地局１０が複数の送信ビームを形成可能であり、ＵＥ２０が複数の受信ビームを形成可能である場合に、基地局１０が下り制御情報（ＰＤＣＣＨ）及び／又は下りデータ情報（ＰＤＳＣＨ）をＵＥ２０に送信する際に、ＵＥ２０は、基地局１０の使用する送信ビームを知りたく、その複数の受信ビームのうちから、当該送信ビームに対応する受信ビームを選択し、情報の受信品質を向上する。したがって、基地局１０の下り情報送信用の送信ビームをＵＥ２０に知らせる必要がある。
【００２２】
本開示の実施例は、基地局とユーザ装置に用いられるビーム特定方法を提供する。当該方法では、基地局１０とＵＥ２０の間の情報インタラクションを用いることにより、ＵＥ２０は、基地局の下り制御情報と下りデータ情報送信用の送信ビームを特定することができるようにする。
【００２３】
（第１の実施例）
以下、本開示の第１の実施例に係るビーム特定方法について説明する。第１の実施例において、基地局は、複数の送信ビームを有する。
【００２４】
図３は、本開示の第１の実施例に係る、ＵＥによって実行されるビーム特定方法を示す。当該方法により、ＵＥは、基地局の利用可能な送信ビームと、当該利用可能な送信ビームに対応するＵＥの受信ビームとを特定すると共に、当該受信ビームを用いて、基地局から送信される下り制御情報と下りデータ情報を受信することができる。
【００２５】
図３に示すように、ステップＳ３０１において、前記基地局の全て又は一部の送信ビームに対するＣＳＩフィードバックを基地局に送信する。具体的には、基地局の前記全て又は一部の送信ビームに対して、ＵＥは、その対応するＣＳＩ（チャネル状態情報）を基地局にフィードバックする。ＵＥによってフィードバックされるＣＳＩは、周期的フィードバックであってもよく、非周期的フィードバックであってもよい。
【００２６】
ステップＳ３０２において、ＵＥは、所定時間ウィンドウ内の前記基地局の送信ビームのＣＳＩフィードバックに基づいて、所定時間ウィンドウ範囲内の、ＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信される下り制御情報を受信する。図４は、本開示の一実施例において基地局側とＵＥ側がそれぞれＣＳＩフィードバックに基づいて対応する送信と受信ビームを選択する模式図を示す。ここで、基地局側が当該ユーザに対して合計３つの好適な送信ビームａ、ｂ、ｃを有し、送信ビームの各々に対応するＵＥ側の受信ビームが１、２、３であることは、データ伝送前に、既に特定される。図４に示すように、基地局側は、過去の所定時間ウィンドウｘ内、その送信ビームの各々に対するＵＥのＣＳＩフィードバックに基づいて、所定規則に合致する利用可能な送信ビームを第１の送信ビームとして選択すると共に、選択される第１の送信ビームにより下り制御情報を送信する。本開示の一実施例において、所定時間ウィンドウｘは、予め定められるものであってＬＴＥ規範（ｓｐｅｃｉｆｉｃａｔｉｏｎ）により限定されてもよく、又はＲＲＣ（無線リソース制御）シグナリングにより設定されてもよい。図５は、本開示の一実施例において、所定時間ウィンドウｘがスライディングウィンドウである例示図を示す。具体的には、所定時間ウィンドウの長さは、固定長ｘであってもよいが、時間軸の全体において、ｘがスライドして変化する。基地局は、各長さｘの時間ウィンドウが終了する度に、下り情報送信用の第１の送信ビームを改めて更新する。対応的に、ＵＥは、各スライディング時間ウィンドウｘが終了する度に、所定規則に基づいて基地局の利用可能な第１の送信ビームを判断する。図４に戻り、１つの好ましい実施例において、ＵＥは、各時間ウィンドウｘの後に１つの所定遅延期間ｙが経過することを期待し、基地局の利用可能な第１の送信ビームを特定し、これによって、基地局と同じビーム更新の理解を得るのに十分な処理時間を確保するようになる。この遅延期間ｙは同様に、予め定められるものであってＬＴＥ規範により限定されてもよく、又はＲＲＣシグナリングにより設定されてもよい。
【００２７】
前記実施例において、基地局の第１の送信ビームの選択は、様々な所定規則に従うことができる。例えば、前記基地局の送信ビームのＣＳＩフィードバックにおけるチャネル状態指示パラメータに基づいて基地局の第１の送信ビームを選択することができる。選択的に、チャネル状態指示パラメータは、ＣＱＩ（チャネル品質指示）であってもよい。具体的には、前記基地局の第１の送信ビームを特定する方法は、前記所定時間ウィンドウにおいて、前記基地局の複数の送信ビームのうちから、最も高いＣＱＩを有するビームを第１の送信ビームとして選択するステップと、前記所定時間ウィンドウにおいて、前記基地局の複数の送信ビームが複数回のＣＳＩフィードバックを有し、かつ複数のＣＱＩ値を取得する場合に、最も高い平均ＣＱＩを有するビームを第１の送信ビームとして選択するステップと、前記所定時間ウィンドウにおいて、前記基地局の複数の送信ビームのうちから、ＣＱＩが所定閾値又はＲＲＣによって設定される閾値より大きく、かつ対応するＣＳＩフィードバック時間が最も近い（前記所定時間ウィンドウの終了点までの距離が最も近い）ビームを第１の送信ビームとして選択するステップと、前記所定時間ウィンドウにおいて、前記基地局の複数の送信ビームが複数回のＣＳＩフィードバックを有する場合に、ＣＱＩが所定閾値を超える回数が参照回数より大きいビームであって対応するＣＳＩフィードバック時間と前記所定時間ウィンドウの終了点との距離が最も近いビーム、又は平均ＣＱＩが所定閾値より大きいビームであって対応するＣＳＩフィードバック時間と前記所定時間ウィンドウの終了点との距離が最も近いビームを第１の送信ビームとして選択するステップと、を含む。ここで、一旦、１つのビーム選択規則が定められると、基地局側とＵＥ側は両方とも、同一の規則に従って基地局の送信ビームを特定する。例えば、図４に示す実施例において、時間ウィンドウｘにおいて、基地局の送信ビームａに対して、ＵＥのＣＳＩフィードバックのＣＱＩ値が１０であり、送信ビームｂに対して、ＵＥによってフィードバックされるＣＱＩ値が１３であり、送信ビームｃに対して、ＵＥによってフィードバックされるＣＱＩ値が１６である。その後、再度、送信ビームａに対して、ＵＥによってフィードバックされるＣＱＩ値が１１である。基地局側において、長さｘの時間ウィンドウが終了したら、すぐに所定規則に基づいて基地局の利用可能な第１の送信ビームを選択することができる。一方、ＵＥ側において、長さｘの時間ウィンドウの後に所定遅延期間ｙが経過してから、基地局の利用可能な第１の送信ビームを特定する。本実施例において、最も高いＣＱＩ値を有する送信ビームを選択することが所定規則であるとする場合に、基地局側とＵＥ側は両方とも、この規則に従って基地局の送信ビームｃを第１の送信ビームとして選択し、且つ、ＵＥ側は、ｃを基地局の第１の送信ビームとして選択した後に、送信ビームｃに対応する第１の受信ビーム３により、基地局から第１の送信ビームｃにより送信される下り情報を受信する。ＣＱＩが所定閾値（例えば９）より大きく、かつ対応するＣＳＩフィードバック時間が最も近いビームを選択することが所定規則であるとする場合に、基地局側とＵＥ側は両方とも、送信ビームａを第１の送信ビームとして選択し、ＵＥ側は、その対応する第１の受信ビーム１により、基地局から送信される下り制御情報を受信する。
【００２８】
本開示の一実施例において、ＵＥ側は、物理下り制御チャネル（ＰＤＣＣＨ）により、基地局から送信される下り制御情報（ＤＣＩ）を受信することができる。また、本開示の実施例において、基地局が第１の送信ビームによりＰＤＣＣＨ伝送を行うことが特定される場合に、物理下り共有チャネル（ＰＤＳＣＨ）の伝送方式について、基地局は、下記の２つを選択することができる。１）上記第１の送信ビームによりＰＤＳＣＨ伝送を行う。２）第１の送信ビームによって送信されるＤＣＩに含まれるビーム指示情報により、ＰＤＳＣＨ伝送を行う送信ビームを指示し、特定されるビームにより下りデータ情報を送信する。対応的に、ＵＥも、基地局の上記２つの方式に対して、基地局のＰＤＳＣＨ伝送を行う送信ビームをそれぞれ特定し、その対応する好適な受信ビームを選択して下りデータ情報を受信する必要がある。前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆｉｇｕｒａｔｉｏｎ）、ビーム参照信号設定（ｂｅａｍ  ｒｅｆｅｒｅｎｃｅ  ｓｉｇｎａｌ  ｃｏｎｆｉｇｕｒａｔｉｏｎ）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）および同期信号ブロックインデックス（ＳＳ  ｂｌｏｃｋ  ｉｎｄｅｘ）のうちの１つ又は複数を含むことができる。
【００２９】
本開示の実施例による通信システムにおいて実行されるビーム特定方法によれば、ユーザ装置は、基地局との間の通信インタラクションを用いて基地局の送信ビームを特定すると共に、その特定される基地局の送信ビームにより、対応する受信ビームを選択し、基地局から送信される下り制御情報と下りデータ情報を受信することができる。これによって、通信ネットワークにおける情報の伝送品質が向上される。
【００３０】
以下、本開示の第１の実施例に係る、基地局によって実行されるビーム特定方法について説明する。前記ＵＥによって実行されるビーム特定方法を説明する際に、当該方法の大部分の動作が既に説明された。よって、ここでは重複を回避するために同じ内容に対する説明を省略する。
【００３１】
図６は、本開示の第１の実施例に係る、基地局によって実行されるビーム特定方法を示す。当該方法によれば、基地局は、当該基地局の利用可能な送信ビームを特定し、当該送信ビームにより下り制御情報と下りデータ情報を送信することができる。
【００３２】
図６に示すように、ステップＳ６０１において、基地局は、ユーザ装置から送信される、前記基地局の全て又は一部の送信ビームに対するＣＳＩフィードバックを受信する。具体的には、基地局の全て又は一部の送信ビームに対して、ＵＥは、その対応するＣＳＩ（チャネル状態情報）を基地局にフィードバックする。ＵＥによってフィードバックされるＣＳＩは、周期的フィードバックであってもよく、非周期的フィードバックであってもよい。
【００３３】
ステップＳ６０２において、基地局は、所定時間ウィンドウ内の前記基地局の送信ビームのＣＳＩフィードバックに基づいて、所定時間ウィンドウ範囲内、ＣＳＩフィードバックを有する基地局の送信ビームの全てのうちから、基地局の第１の送信ビームを特定し、前記第１の送信ビームにより下り制御情報を送信する。図４は、本開示の一実施例において基地局側とＵＥ側がそれぞれＣＳＩフィードバックに基づいて対応する送信と受信ビームを選択する模式図を示す。ここで、基地局側が当該ユーザに対して合計３つの好適な送信ビームａ、ｂ、ｃを有し、送信ビームの各々に対応するＵＥ側の受信ビームが１、２、３であることは、データ伝送前に、既に特定される。図４に示すように、基地局側は、過去の所定時間ウィンドウｘ内のその送信ビームの各々に対するＵＥのＣＳＩフィードバックに基づいて、所定規則に合致する利用可能な送信ビームを第１の送信ビームとして選択すると共に、選択される第１の送信ビームにより下り制御情報を送信する。本開示の一実施例において、所定時間ウィンドウｘは、予め定められるものであってＬＴＥ規範（ｓｐｅｃｉｆｉｃａｔｉｏｎ）により限定されてもよく、又はＲＲＣ（無線リソース制御）シグナリングにより設定されてもよい。図５は、本開示の一実施例において、所定時間ウィンドウｘがスライディングウィンドウである例示図を示す。具体的には、所定時間ウィンドウの長さは、固定長ｘであってもよいが、時間軸の全体において、ｘがスライドして変化する。基地局は、各長さｘの時間ウィンドウが終了する度に、下り情報送信用の第１の送信ビームを改めて更新する。対応的に、ＵＥは、各スライディング時間ウィンドウｘが終了する度に、所定規則に基づいて基地局の利用可能な第１の送信ビームを判断する。
【００３４】
前記実施例において、基地局の第１の送信ビームの選択は、様々な所定規則に従うことができる。例えば、前記基地局の送信ビームのＣＳＩフィードバックにおけるチャネル状態指示パラメータに基づいて基地局の第１の送信ビームを選択することができる。選択的に、チャネル状態指示パラメータは、ＣＱＩ（チャネル品質指示）であってもよい。具体的には、前記基地局の第１の送信ビームを特定する方法は、前記所定時間ウィンドウにおいて、前記基地局の複数の送信ビームのうちから、最も高いＣＱＩを有するビームを第１の送信ビームとして選択するステップと、前記所定時間ウィンドウにおいて、前記基地局の複数の送信ビームが複数回のＣＳＩフィードバックを有し、かつ複数のＣＱＩ値を取得する場合に、最も高い平均ＣＱＩを有するビームを第１の送信ビームとして選択するステップと、前記所定時間ウィンドウにおいて、前記基地局の複数の送信ビームのうちから、ＣＱＩが所定閾値又はＲＲＣによって設定される閾値より大きく、かつ対応するＣＳＩフィードバック時間が最も近い（所定設定時間ウィンドウの終了点までの距離が最も近い）ビームを第１の送信ビームとして選択するステップと、前記所定時間ウィンドウにおいて、前記基地局の複数の送信ビームが複数回のＣＳＩフィードバックを有する場合に、ＣＱＩが所定閾値を超える回数が参照回数より大きいビームであって対応するＣＳＩフィードバック時間と前記所定時間ウィンドウの終了点との距離が最も近いビーム、又は平均ＣＱＩが所定閾値より大きいビームであって対応するＣＳＩフィードバック時間と前記所定時間ウィンドウの終了点との距離が最も近いビームを第１の送信ビームとして選択するステップと、を含む。ここで、一旦、１つのビーム選択規則が定められると、基地局側とＵＥ側は両方とも、同一の規則に従って基地局の送信ビームを特定する。例えば、図４に示す実施例において、時間ウィンドウｘにおいて、基地局の送信ビームａに対して、ＵＥのＣＳＩフィードバックのＣＱＩ値が１０であり、送信ビームｂに対して、ＵＥによってフィードバックされるＣＱＩ値が１３であり、送信ビームｃに対して、ＵＥによってフィードバックされるＣＱＩ値が１６である。その後、再度、送信ビームａに対して、ＵＥによってフィードバックされるＣＱＩ値が１１である。基地局側において、長さｘの時間ウィンドウが終了したら、すぐに所定規則に基づいて基地局の利用可能な第１の送信ビームを選択することができる。一方、ＵＥ側において、長さｘの時間ウィンドウの後に所定遅延期間ｙが経過してから、基地局の利用可能な第１の送信ビームを特定する。本実施例において、最も高いＣＱＩ値を有する送信ビームを選択することが所定規則であるとする場合に、基地局側とＵＥ側は両方とも、この規則に従って基地局の送信ビームｃを第１の送信ビームとして選択し、ＵＥ側は、ｃが基地局の第１の送信ビームとして選択された後に、送信ビームｃに対応する第１の受信ビーム３により、基地局から第１の送信ビームｃにより送信される下り情報を受信する。ＣＱＩが所定閾値（例えば９）より大きく、かつ対応するＣＳＩフィードバック時間が最も近いビームを選択することが所定規則であるとする場合に、基地局側とＵＥ側は両方とも、送信ビームａを第１の送信ビームとして選択し、ＵＥ側は、その対応する第１の受信ビーム１により、基地局から送信される下り情報を受信する。
【００３５】
本開示の一実施例において、ＵＥ側から送信される下り情報は、物理下り制御チャネル（ＰＤＣＣＨ）により送信されるＤＣＩであってもよい。また、本開示の実施例において、基地局が第１の送信ビームによりＰＤＣＣＨ伝送を行うことが特定される場合に、物理下り共有チャネル（ＰＤＳＣＨ）の伝送方式について、基地局は、下記の２つを選択することができる。１）上記第１の送信ビームによりＰＤＳＣＨ伝送を行う。２）第１の送信ビームによって送信されるＤＣＩに含まれるビーム指示情報により、ＰＤＳＣＨ伝送を行う送信ビームを指示し、特定されるビームにより下りデータ情報を送信する。対応的に、ＵＥも、基地局の上記２つの方式に対して、基地局のＰＤＳＣＨ伝送を行う送信ビームをそれぞれ特定し、その対応する好適な受信ビームを選択して下りデータ情報を受信する必要がある。前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆ．）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）およびＳＳ  ｂｌｏｃｋ  ｉｎｄｅｘのうちの１つ又は複数を含むことができる。
【００３６】
本開示の実施例による通信システムにおいて実行されるビーム特定方法によれば、ユーザ装置は、基地局との間の通信インタラクションを用いて基地局の送信ビームを特定すると共に、その特定される基地局の送信ビームにより、対応する受信ビームを選択し、基地局から送信される下り制御情報と下りデータ情報を受信することができる。これによって、通信ネットワークにおける情報の伝送品質が向上される。
【００３７】
以下、図７を参照しながら本開示の第１の実施例に係るＵＥについて説明する。当該ＵＥは、上記ビーム特定方法を実行することができる。当該ＵＥの動作が前記ビーム特定方法の各ステップとほぼ同じであるため、ここでは簡略的に説明し、同じ内容に対する重複説明を省略する。
【００３８】
図７に示すように、ＵＥ７００は、フィードバック部７１０とビーム特定部７２０を含む。なお、図７は、本開示の実施例に関する部材のみを示したが、その他の部材を省略した。しかし、これは例示的なものであり、必要に応じて、ＵＥ７００がその他の部材を含む可能性があることが理解されるべきである。
【００３９】
フィードバック７１０は、前記基地局の全て又は一部の送信ビームに対するＣＳＩフィードバックを基地局に送信する。具体的には、基地局の全て又は一部の送信ビームに対して、フィードバック部７１０は、その対応するＣＳＩ（チャネル状態情報）を基地局にフィードバックする。ＵＥによってフィードバックされるＣＳＩは、周期的フィードバックであってもよく、非周期的フィードバックであってもよい。
【００４０】
ビーム特定部７２０は、所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信される下り制御情報を受信する。図４は、本開示の一実施例において基地局側とＵＥ側がそれぞれＣＳＩフィードバックに基づいて対応する送信と受信ビームを選択する模式図を示す。ここで、基地局側が当該ユーザに対して合計３つの好適な送信ビームａ、ｂ、ｃを有し、送信ビームの各々に対応するＵＥ側の受信ビームが１、２、３であることは、データ伝送前に、既に特定される。図４に示すように、基地局側は、過去の所定時間ウィンドウｘ内のその送信ビームの各々に対するＵＥのＣＳＩフィードバックに基づいて、所定規則に合致する利用可能な送信ビームを第１の送信ビームとして選択すると共に、選択される第１の送信ビームにより下り制御情報を送信する。本開示の一実施例において、所定時間ウィンドウｘは、予め定められるものであってＬＴＥ規範（ｓｐｅｃｉｆｉｃａｔｉｏｎ）により限定されてもよく、又はＲＲＣ（無線リソース制御）シグナリングにより設定されてもよい。図５は、本開示の一実施例において、所定時間ウィンドウｘがスライディングウィンドウである例示図を示す。具体的には、所定時間ウィンドウの長さは、固定長ｘであってもよいが、時間軸の全体において、ｘがスライドして変化する。基地局は、各長さｘの時間ウィンドウが終了する度に、下り情報送信用の第１の送信ビームを改めて更新する。対応的に、ＵＥは、各スライディング時間ウィンドウｘが終了する度に、所定規則に基づいて基地局の利用可能な第１の送信ビームを判断する。図４に戻り、１つの好ましい実施例において、ビーム特定部７２０は、各時間ウィンドウｘの後に所定遅延期間ｙが経過することを期待し、基地局の利用可能な第１の送信ビームを特定し、これによって、基地局と同じビーム更新の理解を得るのに十分な処理時間を確保するようになる。この遅延期間ｙは同様に、予め定められるものであってＬＴＥ規範により限定されてもよく、又はＲＲＣシグナリングにより設定されてもよい。
【００４１】
前記実施例において、基地局の第１の送信ビームの選択は、様々な所定規則に従うことができる。例えば、前記基地局の送信ビームのＣＳＩフィードバックにおけるチャネル状態指示パラメータに基づいて基地局の第１の送信ビームを選択することができる。選択的に、チャネル状態指示パラメータは、ＣＱＩ（チャネル品質指示）であってもよい。具体的には、前記基地局の第１の送信ビームを特定する方法は、前記所定時間ウィンドウにおいて、前記基地局の複数の送信ビームのうちから、最も高いＣＱＩを有するビームを第１の送信ビームとして選択するステップと、前記所定時間ウィンドウにおいて、前記基地局の複数の送信ビームが複数回のＣＳＩフィードバックを有し、かつ複数のＣＱＩ値を取得する場合に、最も高い平均ＣＱＩを有するビームを第１の送信ビームとして選択するステップと、前記所定時間ウィンドウにおいて、前記基地局の複数の送信ビームのうちから、ＣＱＩが所定閾値又はＲＲＣによって設定される閾値より大きく、かつ対応するＣＳＩフィードバック時間が最も近い（所定設定時間ウィンドウの終了点までの距離が最も近い）ビームを第１の送信ビームとして選択するステップと、前記所定時間ウィンドウにおいて、前記基地局の複数の送信ビームが複数回のＣＳＩフィードバックを有する場合に、ＣＱＩが所定閾値を超える回数が参照回数より大きいビームであって対応するＣＳＩフィードバック時間と前記所定時間ウィンドウの終了点との距離が最も近いビーム、又は平均ＣＱＩが所定閾値より大きいビームであって、対応するＣＳＩフィードバック時間と前記所定時間ウィンドウの終了点との距離が最も近いビームを第１の送信ビームとして選択するステップと、を含む。ここで、一旦、１つのビーム選択規則が定められると、基地局側とＵＥ側は両方とも、同一の規則に従って基地局の送信ビームを特定する。例えば、図４に示す実施例において、時間ウィンドウｘにおいて、基地局の送信ビームａに対して、ＵＥのＣＳＩフィードバックのＣＱＩ値が１０であり、送信ビームｂに対して、ＵＥによってフィードバックされるＣＱＩ値が１３であり、送信ビームｃに対して、ＵＥによってフィードバックされるＣＱＩ値が１６である。その後、再度、送信ビームａに対して、ＵＥによってフィードバックされるＣＱＩ値が１１である。基地局側において、長さｘの時間ウィンドウが終了したら、すぐに所定規則に基づいて基地局の利用可能な第１の送信ビームを選択することができる。一方、ＵＥ側のビーム特定部７２０は、長さｘの時間ウィンドウの後に所定遅延期間ｙが経過してから、基地局の利用可能な第１の送信ビームを特定する。本実施例において、最も高いＣＱＩ値を有する送信ビームを選択することが所定規則であるとする場合に、基地局側とＵＥ側は両方とも、この規則に従って基地局の送信ビームｃを第１の送信ビームとして選択し、ＵＥ側のビーム特定部７２０は、ｃが基地局の第１の送信ビームとして選択された後に、送信ビームｃに対応する第１の受信ビーム３により、基地局から第１の送信ビームｃにより送信される下り情報を受信する。ＣＱＩが所定閾値（例えば９）より大きく、かつ対応するＣＳＩフィードバック時間が最も近いビームを選択することが所定規則であるとする場合に、基地局側とＵＥ側は両方とも、送信ビームａを第１の送信ビームとして選択し、ＵＥ側のビーム特定部７２０は、その対応する第１の受信ビーム１により、基地局から送信される下り制御情報を受信する。
【００４２】
本開示の一実施例において、ＵＥ側のビーム特定部７２０は、物理下り制御チャネル（ＰＤＣＣＨ）により、基地局から送信される下り制御情報（ＤＣＩ）を受信することができる。また、本開示の実施例において、基地局が第１の送信ビームによりＰＤＣＣＨ伝送を行うことが特定される場合に、物理下り共有チャネル（ＰＤＳＣＨ）の伝送方式について、基地局は、下記の２つを選択することができる。１）上記第１の送信ビームによりＰＤＳＣＨ伝送を行う。２）第１の送信ビームによって送信されるＤＣＩに含まれるビーム指示情報により、ＰＤＳＣＨ伝送を行う送信ビームを指示し、特定されるビームにより下りデータ情報を送信する。対応的に、ビーム特定部７２０も同様に、基地局の上記２つの方式に対して、基地局のＰＤＳＣＨ伝送を行う送信ビームをそれぞれ特定し、その対応する好適な受信ビームを選択して下りデータ情報を受信する必要がある。ここで、前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆｉｇｕｒａｔｉｏｎ）、ビーム参照信号設定（ｂｅａｍ  ｒｅｆｅｒｅｎｃｅ  ｓｉｇｎａｌ  ｃｏｎｆｉｇｕｒａｔｉｏｎ）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）およびＳＳ  ｂｌｏｃｋ  ｉｎｄｅｘのうちの１つ又は複数を含むことができる。
【００４３】
本開示の実施例による通信システムにおけるＵＥによれば、ユーザ装置は、基地局との間の通信インタラクションを用いて基地局の送信ビームを特定すると共に、その特定される基地局の送信ビームにより、対応する受信ビームを選択し、基地局から送信される下り制御情報と下りデータ情報を受信することができる。これによって、通信ネットワークにおける情報の伝送品質が向上される。
【００４４】
以下、図８を参照しながら本開示の第１の実施例に係る基地局について説明する。当該基地局は、上記ビーム特定方法を実行することができる。当該基地局の動作が前記ビーム特定方法の各ステップとほぼ同じであるため、ここでは簡略的に説明し、同じ内容に対する重複説明を省略する。
【００４５】
図８に示すように、基地局８００は、受信部８１０と第１の送信部８２０を含む。なお、図８は、本開示の実施例に関する部材のみを示したが、その他の部材を省略した。しかし、これは例示的なものであり、必要に応じて、ＵＥ８００がその他の部材を含む可能性があることは理解されるべきである。
【００４６】
受信部８１０は、ユーザ装置から送信される、前記基地局の全て又は一部の送信ビームに対するＣＳＩフィードバックを受信する。具体的には、基地局の全て又は一部の送信ビームに対して、ＵＥは、その対応するＣＳＩ（チャネル状態情報）を基地局にフィードバックする。ＵＥによってフィードバックされるＣＳＩは、周期的フィードバックであってもよく、非周期的フィードバックであってもよい。
【００４７】
第１の送信部８２０は、所定時間ウィンドウ内の前記基地局の送信ビームのＣＳＩフィードバックに基づいて、所定時間ウィンドウ範囲内のＣＳＩフィードバックを有する基地局の送信ビームの全てのうちから、基地局の第１の送信ビームを特定すると共に、前記第１の送信ビームにより、下り制御情報を送信する。図４は、本開示の一実施例において基地局側とＵＥ側がそれぞれＣＳＩフィードバックに基づいて対応する送信と受信ビームを選択する模式図を示す。ここで、基地局側が当該ユーザに対して合計３つの好適な送信ビームａ、ｂ、ｃを有し、送信ビームの各々に対応するＵＥ側の受信ビームが１、２、３であることは、データ伝送前に、既に特定される。図４に示すように、基地局側の第１の送信部８２０は、過去の所定時間ウィンドウｘ内のその送信ビームの各々に対するＵＥのＣＳＩフィードバックに基づいて、所定規則に合致する利用可能な送信ビームを第１の送信ビームとして選択すると共に、選択される第１の送信ビームにより下り制御情報を送信する。本開示の一実施例において、所定時間ウィンドウｘは、予め定められるものであってＬＴＥ規範（ｓｐｅｃｉｆｉｃａｔｉｏｎ）により限定されてもよく、又はＲＲＣ（無線リソース制御）シグナリングにより設定されてもよい。図５は、本開示の一実施例において、所定時間ウィンドウｘがスライディングウィンドウである例示図を示す。具体的には、所定時間ウィンドウの長さは、固定長ｘであってもよいが、時間軸の全体において、ｘがスライドして変化する。基地局は、各長さｘの時間ウィンドウが終了する度に、第１の送信部８２０が下り情報送信用の第１の送信ビームを改めて更新する。対応的に、ＵＥは、各スライディング時間ウィンドウｘが終了する度に、所定規則に基づいて基地局の利用可能な第１の送信ビームを判断してもよい。
【００４８】
前記実施例において、第１の送信部８２０において基地局の第１の送信ビームに対する選択は、様々な所定規則に従うことができる。例えば、前記基地局の送信ビームのＣＳＩフィードバックにおけるチャネル状態指示パラメータに基づいて基地局の第１の送信ビームを選択することができる。選択的に、チャネル状態指示パラメータは、ＣＱＩ（チャネル品質指示）であってもよい。具体的には、前記基地局の第１の送信ビームを特定する方法は、前記所定時間ウィンドウにおいて、前記基地局の複数の送信ビームのうちから、最も高いＣＱＩを有するビームを第１の送信ビームとして選択するステップと、前記所定時間ウィンドウにおいて、前記基地局の複数の送信ビームが複数回のＣＳＩフィードバックを有し、かつ複数のＣＱＩ値を取得する場合に、最も高い平均ＣＱＩを有するビームを第１の送信ビームとして選択するステップと、前記所定時間ウィンドウにおいて、前記基地局の複数の送信ビームのうちから、ＣＱＩが所定閾値又はＲＲＣによって設定される閾値より大きく、かつ対応するＣＳＩフィードバック時間が最も近い（所定設定時間ウィンドウの終了点までの距離が最も近い）ビームを第１の送信ビームとして選択するステップと、前記所定時間ウィンドウにおいて、前記基地局の複数の送信ビームが複数回のＣＳＩフィードバックを有する場合に、ＣＱＩが所定閾値を超える回数が参照回数より大きいビームであって対応するＣＳＩフィードバック時間と前記所定時間ウィンドウの終了点との距離が最も近いビーム、又は平均ＣＱＩが所定閾値より大きいビームであって対応するＣＳＩフィードバック時間と前記所定時間ウィンドウの終了点との距離が最も近いビームを、第１の送信ビームとして選択するステップと、を含む。ここで、一旦、１つのビーム選択規則が定められると、基地局側とＵＥ側は両方とも、同一の規則に従って基地局の送信ビームを特定する。例えば、図４に示す実施例において、時間ウィンドウｘにおいて、基地局の送信ビームａに対して、ＵＥのＣＳＩフィードバックのＣＱＩ値が１０であり、送信ビームｂに対して、ＵＥによってフィードバックされるＣＱＩ値が１３であり、送信ビームｃに対して、ＵＥによってフィードバックされるＣＱＩ値が１６である。その後、再度、送信ビームａに対して、ＵＥによってフィードバックされるＣＱＩ値が１１である。基地局側において、長さｘの時間ウィンドウが終了したら、第１の送信部８２０は、すぐに所定規則に基づいて基地局の利用可能な第１の送信ビームを選択することができる。一方、ＵＥ側は、長さｘの時間ウィンドウの後に所定遅延期間ｙが経過してから、基地局の利用可能な第１の送信ビームを特定する。本実施例において、最も高いＣＱＩ値を有する送信ビームを選択することが所定規則であるとする場合に、基地局側の第１の送信部８２０とＵＥ側は両方とも、この規則に従って基地局の送信ビームｃを第１の送信ビームとして選択し、ＵＥ側は、ｃが基地局の第１の送信ビームとして選択された後に、送信ビームｃに対応する第１の受信ビーム３により、基地局から第１の送信ビームｃにより送信される下り情報を受信する。ＣＱＩが所定閾値（例えば９）より大きく、かつ対応するＣＳＩフィードバック時間が最も近いビームを選択することが所定規則であるとする場合に、基地局側の第１の送信部８２０とＵＥ側は両方とも、送信ビームａを第１の送信ビームとして選択し、ＵＥ側は、その対応する第１の受信ビーム１により、基地局から送信される下り制御情報を受信する。
【００４９】
本開示の一実施例において、基地局側の第１の送信部８２０から送信される下り情報は、物理下り制御チャネル（ＰＤＣＣＨ）により送信されるＤＣＩであってもよい。また、本開示の実施例において、基地局が第１の送信ビームによりＰＤＣＣＨ伝送を行うことが特定される場合に、物理下り共有チャネル（ＰＤＳＣＨ）の伝送方式について、基地局の第１の送信部８２０は、下記の２つを選択することができる。１）上記第１の送信ビームによりＰＤＳＣＨ伝送を行う。２）第１の送信ビームによって送信されるＤＣＩに含まれるビーム指示情報により、ＰＤＳＣＨ伝送を行う送信ビームを指示し、特定されるビームにより下りデータ情報を送信する。対応的に、ＵＥも、基地局の上記２つの方式に対して、基地局のＰＤＳＣＨ伝送を行う送信ビームをそれぞれ特定し、その対応する好適な受信ビームを選択して下りデータ情報を受信する必要がある。前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆｉｇｕｒａｔｉｏｎ）、ビーム参照信号設定（ｂｅａｍ  ｒｅｆｅｒｅｎｃｅ  ｓｉｇｎａｌ  ｃｏｎｆ．）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）およびＳＳ  ｂｌｏｃｋ  ｉｎｄｅｘのうちの１つ又は複数を含むことができる。
【００５０】
本開示の実施例による通信システムにおける基地局によれば、ユーザ装置は、基地局との間の通信インタラクションを用いて基地局の送信ビームを特定すると共に、その特定される基地局の送信ビームにより、対応する受信ビームを選択し、基地局から送信される下り制御情報と下りデータ情報を受信することができる。これによって、通信ネットワークにおける情報の伝送品質が向上される。
【００５１】
（第２の実施例）
以下、本開示の第２の実施例に係る下り伝送の復調方法について説明する。第２の実施例において、基地局は、複数の送信ビームを有する。
【００５２】
図９は、本開示の第２の実施例に係る、ＵＥによって実行される下り伝送の復調方法を示す。当該方法によれば、ＵＥは、基地局の複数の送信ビームのＭ個の好適ビームのうちの所定数Ｎ個の好適ビーム、及び、好適ビームに対応するＵＥの受信ビームを特定し、いずれか１つ又は複数の受信ビームを用いて、基地局から送信される下り制御情報を受信することができる。
【００５３】
図９に示すように、ステップＳ９０１において、前記基地局の複数の送信ビームのうちのＭ個の好適ビームを特定する。具体的には、下りデータ伝送の前に、基地局側とＵＥ側は既に、様々な方法により、基地局がＵＥを動的にスケジューリングする際に選択可能なビームとして、このＭ個のビームを共同的に特定する。ここで、ＵＥ側と基地局側は両方とも、所定規則により、基地局の前記複数の送信ビームのうちからＭ個の好適ビームを選択することができる。その選択は、その前のチャネル状態情報又は各チャネルパラメータ値などを根拠としてもよい。Ｍ個の好適ビームがＵＥによって特定される場合に、ＵＥは、このＭ個の好適ビームの情報を基地局に送信することができる。Ｍ個の好適ビームが基地局によって特定される場合に、基地局も、好適ビーム情報をＵＥに送信することができる。例えば、前記実施例の図４に示すように、基地局側の３つの送信ビームａ、ｂ、ｃは、すなわちここで述べた好適ビームである。基地局は、このＭ個の好適ビームに対してフィードバックするように、ユーザを設定することができる。そうすると、ＵＥは、それらに対応するＣＳＩなどのチャネル状態パラメータ情報を基地局に報告することができる。
【００５４】
ステップＳ９０２において、ＵＥは、前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであり、前記下り制御情報の送信期間において、前記基地局が前記Ｎ個の好適ビームにより、同じ下り制御情報を含むシグナリングを送信する。
【００５５】
ＵＥと基地局は、予め設置又は設定されるビーム設定又はビーム数に基づいて、基地局から送信されるビームのＭ個の好適ビームのうちから、再び選択することができる。例えば、ＵＥは、Ｍ個の好適ビームのうちから、Ｎ個のビーム（Ｎ≦Ｍ）をさらに選択することにより、基地局がこのＮ個のビームにより下り制御情報を送信するようにすることができる。Ｎは、異なるビームにおいて下り制御情報が送信される最大重複送信回数である。ここで予め設置される所定数Ｎ又はＮ個のビームの設定は、ＬＴＥ規範で限定されてもよく、例えばマスターシステム情報ブロック（ＭＩＢ、ｍａｓｔｅｒ  ｉｎｆｏｒｍａｔｉｏｎ  ｂｌｏｃｋ）又はシステム情報ブロック（ＳＩＢ、ｓｙｓｔｅｍ  ｉｎｆｏｒｍａｔｉｏｎ  ｂｌｏｃｋ）といった報知情報（ｂｒｏａｄｃａｓｔ  ｉｎｆｏｒｍａｔｉｏｎ）により通知されてもよく、又はＲＲＣ信号により設定されてもよい。本発明の実施例において、基地局は、前記Ｍ個の好適ビームのうちのＮ個の好適ビームを知った後に、このＮ個の好適ビームを用いて、下り制御情報を含むシグナリングを送信する。ここで、基地局からＮ個の好適ビームの各々により送信される下り制御情報の内容は全部同じである。したがって、ＵＥ側において、前記Ｎ個の好適ビームのうちのいずれか１つ又は複数に対応する受信ビームにより、基地局から送信される下り制御情報を受信することができる。本開示の実施例における基地局の下り制御情報の送信方式から分かるように、ＵＥはどの対応する受信ビームにより受信を行っても、基地局から送信される同じ下り制御情報を取得することができる。
【００５６】
もちろん、本開示の一実施例において、基地局は、上記Ｍ個の好適ビームの全てにおいて同じ下り制御情報を含むシグナリングを送信することができる。即ちＮ＝Ｍの場合である。かかる場合、ＵＥと基地局は、Ｍ個の好適ビームにおいて再び選択を行う必要なく、特定されるＭ個の好適ビームに基づいて情報伝送を直接に行うことができる。対応的に、ＵＥは、Ｍ個の好適ビームのうちの１つ又は複数に対応する受信ビームにより、下り制御情報を受信することができる。対応する受信ビームのいずれに対して、ＵＥは、同じ下り制御情報を受信することができる。
【００５７】
本開示の実施例において、異なるビームにおける、基地局側によって送信される下り制御情報を含むシグナリングの送信は、符号分割多重（ＣＤＭ）、時間分割多重（ＴＤＭ）又は周波数分割多重（ＦＤＭ）の方式に基づいて多重することができる。よって、前記シグナリングは、基地局側で、異なるビームにおいて符号分割多重、時間分割多重又は周波数分割多重の方式で送信する。対応的に、ＵＥは、異なるビーム走査パターン（ｂｅａｍ  ｓｗｅｅｐｉｎｇ  ｐａｔｔｅｒｎ）でサーチスペースにおいてサーチ及び情報受信を行う必要がある。ここのビーム走査パターンは、規範により予め定められてもよく、報知情報又はＲＲＣなどで限定されてもよい。
【００５８】
具体的には、本開示の実施例の第１の実現方式において、ビーム走査パターンはＣＤＭビーム走査である。図１０は、本開示の実施例のサーチスペースＣＤＭビーム走査の例示図を示す。図１０に示すように、１つのスケジューリングユニット（ｓｃｈｅｄｕｌｉｎｇ  ｕｎｉｔ）において、横軸は時間を示し、縦軸は周波数を示す。この場合、基地局のａ、ｂ、ｃという３つの好適送信ビームのサーチスペースは、同じ時間／周波数リソースにあり、ＲＲＣは、ＰＤＣＣＨビーム走査に関係する複数のビーム−サーチスペース時間／周波数リソースを設定する。各ビームに対応するサーチスペースには、同じＤＣＩ情報が含まれる。つまり、ＵＥはａ、ｂ又はｃのどちらに対応するサーチスペースにおいてサーチを行っても、ＤＣＩ情報を取得することができる。また、ＤＣＩをさらに復号することにより、ＤＣＩにおけるビーム指示情報によりＰＤＳＣＨの送信ビームを知ることができる。
【００５９】
本開示の実施例の第２の実現方式において、ビーム走査パターンはＴＤＭビーム走査である。図１１は、本開示の実施例におけるサーチスペースＴＤＭビーム走査の例示図を示す。図１１に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。各ビームに対応するサーチスペースには、同じＤＣＩ情報が含まれる。つまり、ＵＥは、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００６０】
本開示の実施例の第３の実現方式において、ビーム走査パターンはＦＤＭビーム走査である。図１２は、本開示の実施例におけるサーチスペースＦＤＭビーム走査の例示図を示す。図１２に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。各ビームに対応するサーチスペースには、同じＤＣＩ情報が含まれる。つまり、ＵＥは、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００６１】
ここで、前記送信ビームは、ＣＳＩ−ＲＳベースのビームであってもよく、ＳＳ  ｂｌｏｃｋベースのビームであってもよい。ＰＤＣＣＨビームにおける、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆｉｇｕｒａｔｉｏｎ）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）、及びＳＳ  ｂｌｏｃｋ  ｉｎｄｅｘのうちの１つ又は複数を含むことができる。
【００６２】
本開示の一実施例において、基地局は、前記下り制御情報に含まれるビーム指示情報により、下りデータ情報送信用の送信ビームをＵＥに知らせることができる。即ち、基地局は、ＰＤＳＣＨの送信ビームを指示する情報をＤＣＩに含めて、全てのＮ個の好適ビームによりＵＥに送信する。ＵＥ側では、受信したＤＣＩ内容を復号することにより、基地局が採用するＰＤＳＣＨ伝送の送信ビームを知ることができる。
【００６３】
本開示に係る実施例による通信システムにおいて実行される下り伝送の復調方法によれば、ユーザ装置は、基地局との間の通信インタラクションを用いて基地局の複数の送信ビームの好適ビーム、及び好適ビームに対応するＵＥの受信ビームを特定すると共に、いずれか１つまたは複数の受信ビームにより、基地局から送信される下り制御情報を受信することができる。これによって、通信ネットワークにおける情報の伝送品質が向上される。
【００６４】
以下、本開示の第２の実施例に係る、基地局によって実行される下り伝送の復調方法について説明する。前記ＵＥによって実行される下り伝送の復調方法を説明する際に、当該方法の大部分の動作が既に説明された。よって、ここでは重複を回避するために同じ内容に対する説明を省略する。
【００６５】
図１３は、本開示の第２の実施例に係る、基地局によって実行される下り伝送の復調方法について説明する。当該方法によれば、基地局は、当該基地局の下り制御情報送信用の好適ビームを知ると共に、全ての好適な送信ビームにより下り情報を送信することができる。
【００６６】
図１３に示すように、ステップＳ１３０１において、前記基地局の複数の送信ビームのうちのＭ個の好適ビームを特定する。具体的には、下りデータ伝送の前に、基地局側とＵＥ側は既に、様々な方法により、基地局がＵＥを動的にスケジューリングする際に選択可能なビームとして、このＭ個のビームを共同的に特定する。ここで、ＵＥ側と基地局側は両方とも、所定規則により、基地局の前記複数の送信ビームのうちからＭ個の好適ビームを選択することができる。その選択は、その前のチャネル状態情報又は各チャネルパラメータ値などを根拠とすることができる。Ｍ個の好適ビームがＵＥによって特定される場合に、ＵＥは、このＭ個の好適ビームの情報を基地局に送信することができる。Ｍ個の好適ビームが基地局によって特定される場合に、基地局も、好適ビーム情報をＵＥに送信することができる。例えば、前記実施例の図４に示すように、基地局側の３つの送信ビームａ、ｂ、ｃは、ここで述べた好適ビームである。基地局は、このＭ個の好適ビームに対してフィードバックするようにユーザを設定することができる。そうすると、基地局は、ＵＥによって報告される、対応するＣＳＩなどのチャネル状態パラメータ情報を受信することができる。
【００６７】
ステップＳ１３０２において、基地局は、前記Ｍ個の好適ビームのうちのＮ個の好適ビームより、同じ下り制御情報を含むシグナリングを送信し、Ｎ≦Ｍである。ここで、ＵＥと基地局は、予め設置されるビーム数に基づいて、基地局から送信されるビームのＭ個の好適ビームのうちから、再び選択することができる。例えば、ＵＥは、予め設置又は設定されるビーム設定又はビーム数に基づいて、Ｍ個の好適ビームのうちから、Ｎ個のビーム（Ｎ≦Ｍ）をさらに選択することにより、基地局がこのＮ個のビームにより下り制御情報を送信するようにすることができる。Ｎは、異なるビームにおいて下り制御情報が送信される最大重複送信回数である。ここで予め設定される所定数Ｎ又はＮ個のビームの設定は、ＬＴＥ規範で限定されてもよく、例えばＭＩＢ又はＳＩＢといった報知情報により通知されてもよく、又はＲＲＣ信号により設定されてもよい。本発明の実施例において、基地局は、前記Ｍ個の好適ビームのうちのＮ個の好適ビームを知った後に、このＮ個の好適ビームを用いて、下り制御情報を含むシグナリングを送信する。ここで、基地局からＮ個の好適ビームの各々により送信される下り制御情報の内容は全部同じである。対応的に、ＵＥ側では、前記Ｎ個の好適ビームのうちのいずれか１つ又は複数に対応する受信ビームにより、基地局から送信される下り制御情報を受信することができる。本開示の実施例における基地局の下り制御情報の送信方式から分かるように、ＵＥはどの対応する受信ビームにより受信を行っても、基地局から送信される同じ下り制御情報を取得することができる。
【００６８】
もちろん、本開示の一実施例において、基地局は、上記Ｍ個の好適ビームの全てにおいて同じ下り制御情報を含むシグナリングを送信することができ、即ちＮ＝Ｍの場合である。かかる場合、ＵＥと基地局は、Ｍ個の好適ビームにおいて再び選択を行う必要なく、特定されるＭ個の好適ビームに基づいて情報伝送を直接に行うことができる。対応的に、ＵＥは、Ｍ個の好適ビームのうちの１つ又は複数に対応する受信ビームにより、下り制御情報を受信することができる。対応する受信ビームのいずれに対して、ＵＥは、同じ下り制御情報を受信することができる。
【００６９】
本開示の実施例において、異なるビームにおいて基地局側によって送信される下り制御情報を含むシグナリングの送信は、符号分割多重（ＣＤＭ）、時間分割多重（ＴＤＭ）又は周波数分割多重（ＦＤＭ）の方式に基づいて多重することができる。よって、前記シグナリングは、基地局側で、異なるビームにおいて符号分割多重、時間分割多重又は周波数分割多重の方式で送信する。対応的に、ＵＥは、異なるビーム走査パターン（ｂｅａｍ  ｓｗｅｅｐｉｎｇ  ｐａｔｔｅｒｎ）でサーチスペースにおいてサーチ及び情報受信を行う必要がある。ここのビーム走査パターンは、規範により予め定められてもよく、報知情報又はＲＲＣなどで限定されてもよい。
【００７０】
具体的には、本開示の実施例の第１の実現方式において、ビーム走査パターンはＣＤＭビーム走査である。図１０は、本開示の実施例のサーチスペースＣＤＭビーム走査の例示図を示す。図１０に示すように、１つのスケジューリングユニット（ｓｃｈｅｄｕｌｉｎｇ  ｕｎｉｔ）において、横軸は時間を示し、縦軸は周波数を示す。この場合、基地局のａ、ｂ、ｃという３つの好適送信ビームのサーチスペースは、同じ時間／周波数リソースにあり、ＲＲＣは、ＰＤＣＣＨビーム走査に関係する複数のビーム−サーチスペース時間／周波数リソースを設定する。各ビームに対応するサーチスペースには、同じＤＣＩ情報が含まれる。つまり、ＵＥはａ、ｂ又はｃのどちらに対応するサーチスペースにおいてサーチを行っても、ＤＣＩ情報を取得することができる。また、ＤＣＩをさらに復号することにより、ＤＣＩにおけるビーム指示情報によりＰＤＳＣＨの送信ビームを知ることができる。
【００７１】
本開示の実施例の第２の実現方式において、ビーム走査パターンはＴＤＭビーム走査である。図１１は、本開示の実施例におけるサーチスペースＴＤＭビーム走査の例示図を示す。図１１に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。各ビームに対応するサーチスペースには、同じＤＣＩ情報が含まれる。つまり、ＵＥは、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００７２】
本開示の実施例の第３の実現方式において、ビーム走査パターンはＦＤＭビーム走査である。図１２は、本開示の実施例におけるサーチスペースＦＤＭビーム走査の例示図を示す。図１２に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。各ビームに対応するサーチスペースには、同じＤＣＩ情報が含まれる。つまり、ＵＥは、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００７３】
ここで、前記送信ビームは、ＣＳＩ−ＲＳベースのビームであってもよく、ＳＳ  ｂｌｏｃｋベースのビームであってもよい。ＰＤＣＣＨビームにおける、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆｉｇｕｒａｔｉｏｎ）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）、及びＳＳ  ｂｌｏｃｋ  ｉｎｄｅｘのうちの１つ又は複数を含むことができる。
【００７４】
本開示の一実施例において、基地局は、前記下り制御情報に含まれるビーム指示情報により、その下りデータ情報送信用の送信ビームをＵＥに知らせることができる。即ち、基地局は、ＰＤＳＣＨの送信ビームを指示する情報をＤＣＩに含めて、全てのＮ個の好適ビームによりＵＥに送信する。ＵＥ側では、受信したＤＣＩ内容を復号することにより、基地局が採用するＰＤＳＣＨ伝送の送信ビームを知ることができる。
【００７５】
本開示に係る実施例による通信システムにおいて実行される下り伝送の復調方法により、ユーザ装置は、基地局との間の通信インタラクションを用いて基地局の複数の送信ビームの好適ビーム、及び好適ビームに対応するＵＥの受信ビームを特定すると共に、いずれかの１つ又は複数の送信ビームを用いて、基地局から送信される下り制御情報を受信することができる。これによって、通信ネットワークにおける情報の伝送品質が向上される。
【００７６】
以下、図１４を参照しながら本開示の第２の実施例に係るＵＥについて説明する。当該ＵＥは、上記下り伝送の復調方法を実行することができる。当該ＵＥの動作が前記下り伝送の復調方法の各ステップとほぼ同じであるため、ここでは簡略的に説明し、同じ内容に対する重複説明を省略する。
【００７７】
図１４に示すように、ＵＥ１４００は、第１の優先選択部１４１０と情報受信部１４２０を含む。なお、図１４は、本開示の実施例に関する部材のみを示したが、その他の部材を省略した。しかし、これは例示的なものであり、必要に応じて、ＵＥ１４００がその他の部材を含む可能性があることは理解されるべきである。
【００７８】
第１の優先選択部１４１０は、前記基地局の複数の送信ビームのうちのＭ個の好適ビームを特定する。具体的には、下りデータ伝送の前に、基地局側とＵＥ側は既に、様々な方法により、基地局がＵＥを動的にスケジューリングする際に選択可能なビームとして、このＭ個のビームを共同的に特定する。ここで、ＵＥ側と基地局側は両方とも、所定規則により、基地局の前記複数の送信ビームのうちからＭ個の好適ビームを選択することができる。その選択は、その前のチャネル状態情報又は各チャネルパラメータ値などを根拠とすることができる。Ｍ個の好適ビームがＵＥの第１の優先選択部１４１０によって特定される場合に、ＵＥは、このＭ個の好適ビームの情報を基地局に送信することができる。Ｍ個の好適ビームが基地局によって特定される場合に、基地局も、好適ビーム情報をＵＥに送信することができる。例えば、前記実施例の図４に示すように、基地局側の３つの送信ビームａ、ｂ、ｃは、ここで述べた好適ビームである。選択的に、このＭ個の好適ビームに対して、基地局は、フィードバックするようにユーザを設定することができる。そうすると、ＵＥは、それらに対応するＣＳＩなどのチャネル状態パラメータ情報を基地局に報告することができる。
【００７９】
情報受信部１４２０は、前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであり、前記下り制御情報の送信期間において、前記基地局が前記Ｎ個の好適ビームにより、同じ下り制御情報を含むシグナリングを送信する。
【００８０】
ＵＥと基地局は、予め設置又は設定されるビーム設定又はビーム数に基づいて、基地局から送信されるビームのＭ個の好適ビームのうちから、再び選択することができる。例えば、ＵＥの情報受信部１４２０は、Ｍ個の好適ビームのうちから、Ｎ個のビーム（Ｎ≦Ｍ）をさらに選択することにより、基地局がこのＮ個のビームにより下り制御情報を送信するようにすることができる。Ｎは、異なるビームにおいて下り制御情報が送信される最大重複送信回数である。ここで予め設置される所定数Ｎ又はＮ個のビームの設定は、ＬＴＥ規範で限定されてもよく、例えばＭＩＢ又はＳＩＢといった報知情報により通知されてもよく、又はＲＲＣ信号により設定されてもよい。本発明の実施例において、基地局は、前記Ｍ個の好適ビームのうちのＮ個の好適ビームを知った後に、このＮ個の好適ビームを用いて、下り制御情報を含むシグナリングを送信する。ここで、基地局からＮ個の好適ビームの各々により送信される下り制御情報の内容は全部同じである。したがって、ＵＥ側において、情報受信部１４２０は、前記Ｎ個の好適ビームのうちのいずれか１つ又は複数に対応する受信ビームにより、基地局から送信される下り制御情報を受信することができる。本開示の実施例における基地局の下り制御情報の送信方式から分かるように、ＵＥはどの対応する受信ビームにより受信を行っても、基地局から送信される同じ下り制御情報を取得することができる。
【００８１】
もちろん、本開示の一実施例において、基地局は、上記Ｍ個の好適ビームの全てにおいて同じ下り制御情報を含むシグナリングを送信することができ、即ちＮ＝Ｍの場合である。かかる場合、ＵＥと基地局は、Ｍ個の好適ビームにおいて再び選択を行う必要なく、特定されるＭ個の好適ビームに基づいて情報伝送を直接に行うことができる。対応的に、ＵＥの情報受信部１４２０は、Ｍ個の好適ビームのうちの１つ又は複数に対応する受信ビームにより、下り制御情報を受信することができる。対応する受信ビームのいずれに対して、ＵＥは、同じ下り制御情報を受信することができる。
【００８２】
本開示の実施例において、異なるビームにおいて基地局側によって送信される下り制御情報を含むシグナリングの送信は、符号分割多重（ＣＤＭ）、時間分割多重（ＴＤＭ）又は周波数分割多重（ＦＤＭ）の方式に基づいて多重することができる。よって、前記シグナリングは、基地局側で、異なるビームにおいて符号分割多重、時間分割多重又は周波数分割多重の方式で送信する。対応的に、ＵＥの情報受信部１４２０は、異なるビーム走査パターン（ｂｅａｍ  ｓｗｅｅｐｉｎｇ  ｐａｔｔｅｒｎ）でサーチスペースにおいてサーチ及び情報受信を行う必要がある。ここのビーム走査パターンは、規範により予め定められてもよく、報知情報又はＲＲＣなどで限定されてもよい。
【００８３】
具体的には、本開示の実施例の第１の実現方式において、ビーム走査パターンはＣＤＭビーム走査である。図１０は、本開示の実施例のサーチスペースＣＤＭビーム走査の例示図を示す。図１０に示すように、１つのスケジューリングユニット（ｓｃｈｅｄｕｌｉｎｇ  ｕｎｉｔ）において、横軸は時間を示し、縦軸は周波数を示す。この場合、基地局のａ、ｂ、ｃという３つの好適送信ビームのサーチスペースは、同じ時間／周波数リソースにあり、ＲＲＣは、ＰＤＣＣＨビーム走査に関係する複数のビーム−サーチスペース時間／周波数リソースを設定する。ここで、各ビームに対応するサーチスペースには、同じＤＣＩ情報が含まれる。つまり、情報受信部１４２０はａ、ｂ又はｃのどちらに対応するサーチスペースにおいてサーチを行っても、ＤＣＩ情報を取得することができる。また、ＤＣＩをさらに復号することにより、ＤＣＩにおけるビーム指示情報によりＰＤＳＣＨの送信ビームを知ることができる。
【００８４】
本開示の実施例の第２の実現方式において、ビーム走査パターンはＴＤＭビーム走査である。図１１は、本開示の実施例におけるサーチスペースＴＤＭビーム走査の例示図を示す。図１１に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。各ビームに対応するサーチスペースには、同じＤＣＩ情報が含まれる。つまり、情報受信部１４２０は、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００８５】
本開示の実施例の第３の実現方式において、ビーム走査パターンはＦＤＭビーム走査である。図１２は、本開示の実施例におけるサーチスペースＦＤＭビーム走査の例示図を示す。図１２に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。ここで、各ビームに対応するサーチスペースには、同じＤＣＩ情報が含まれる。つまり、情報受信部１４２０は、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００８６】
ここで、前記送信ビームは、ＣＳＩ−ＲＳベースのビームであってもよく、ＳＳ  ｂｌｏｃｋベースのビームであってもよい。ＰＤＣＣＨビームにおける、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆｉｇｕｒａｔｉｏｎ）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）、及びＳＳ  ｂｌｏｃｋ  ｉｎｄｅｘのうちの１つ又は複数を含むことができる。
【００８７】
本開示の一実施例において、基地局は、前記下り制御情報に含まれるビーム指示情報により、下りデータ情報送信用の送信ビームをＵＥに知らせることができる。即ち、基地局は、ＰＤＳＣＨの送信ビームを指示する情報をＤＣＩに含めて、全てのＮ個の好適ビームによりＵＥに送信する。ＵＥ側において、情報受信部１４２０は、受信したＤＣＩ内容を復号することにより、基地局が採用するＰＤＳＣＨ伝送の送信ビームを知ることができる。
【００８８】
本開示に係る実施例による通信システムにおけるＵＥによれば、ユーザ装置は、基地局との間の通信インタラクションを用いて基地局の送信ビーム、及び好適ビームに対応するＵＥの受信ビームを特定すると共に、いずれか１つまたは複数の受信ビームを用いて、基地局から送信される下り制御情報を受信することができる。これによって、通信ネットワークにおける情報の伝送品質が向上される。
【００８９】
以下、図１５を参照しながら本開示の第２の実施例に係る基地局について説明する。当該基地局は、上記下り伝送の復調方法を実行することができる。当該基地局の動作が前記下り伝送の復調方法の各ステップとほぼ同じであるため、ここでは簡略的に説明し、同じ内容に対する重複説明を省略する。
【００９０】
図１５に示すように、基地局１５００は、第２の優先選択部１５１０と第２の送信部１５２０を含む。なお、図１５は、本開示の実施例に関する部材のみを示したが、その他の部材を省略した。しかし、これは例示的なものであり、必要に応じて、基地局１５００がその他の部材を含む可能性があることは理解されるべきである。
【００９１】
第２の優先選択部１５１０は、前記基地局の複数の送信ビームのうちのＭ個の好適ビームを特定する。具体的には、下りデータ伝送の前に、基地局側とＵＥ側は既に、様々な方法により、基地局がＵＥを動的にスケジューリングする際に選択可能なビームとして、このＭ個のビームを共同的に特定する。ここで、ＵＥ側と基地局側は両方とも、所定規則により、基地局の前記複数の送信ビームのうちからＭ個の好適ビームを選択することができる。その選択は、その前のチャネル状態情報又は各チャネルパラメータ値などを根拠とすることができる。Ｍ個の好適ビームがＵＥによって特定される場合に、ＵＥは、このＭ個の好適ビームの情報を基地局に送信することができる。Ｍ個の好適ビームが基地局によって特定される場合に、基地局の第２の優先選択部１５１０も、好適ビーム情報をＵＥに送信することができる。例えば、前記実施例の図４に示すように、基地局側の３つの送信ビームａ、ｂ、ｃは、ここで述べた好適ビームである。選択的に、基地局は、このＭ個の好適ビームに対してフィードバックするようにユーザを設定することができる。そうすると、基地局は、ＵＥから報告される、対応するＣＳＩなどのチャネル状態パラメータ情報を受信することができる。
【００９２】
第２の送信部１５２０は、前記Ｍ個の好適ビームのうちのＮ個の好適ビームにより、同じ下り制御情報を含むシグナリングを送信し、Ｎ≦Ｍである。ここで、ＵＥと基地局は、予め設置又は設定されるビーム設定又はビーム数に基づいて、基地局から送信されるビームのＭ個の好適ビームのうちから、再び選択することができる。例えば、ＵＥは、Ｍ個の好適ビームのうちから、Ｎ個のビーム（Ｎ≦Ｍ）をさらに選択することにより、基地局がこのＮ個のビームにより下り制御情報を送信するようにすることができる。Ｎは、異なるビームにおいて下り制御情報が送信される最大重複送信回数である。ここで予め設置される所定数Ｎ又はＮ個のビームの設定は、ＬＴＥ規範で限定されてもよく、例えばＭＩＢ又はＳＩＢといった報知情報により通知されてもよく、又はＲＲＣ信号により設定されてもよい。本発明の実施例において、基地局の第２送信部１５２０は、前記Ｍ個の好適ビームのうちのＮ個の好適ビームを知った後に、このＮ個の好適ビームを用いて、下り制御情報を含むシグナリングを送信する。ここで、第２の送信部１５２０からＮ個の好適ビームの各々により送信される下り制御情報の内容は全部同じである。対応的に、ＵＥ側では、前記Ｎ個の好適ビームのうちのいずれか１つ又は複数に対応する受信ビームにより、基地局から送信される下り制御情報を受信することができる。本開示の実施例における基地局の下り制御情報の送信方式から分かるように、ＵＥはどの対応する受信ビームにより受信を行っても、基地局から送信される同じ下り制御情報を取得することができる。
【００９３】
もちろん、本開示の一実施例において、第２の送信部１５２０は、上記Ｍ個の好適ビームの全てにおいて同じ下り制御情報を含むシグナリングを送信することができ、即ちＮ＝Ｍの場合である。かかる場合、ＵＥと基地局は、Ｍ個の好適ビームにおいて再び選択を行う必要なく、特定されるＭ個の好適ビームに基づいて情報伝送を直接に行うことができる。対応的に、ＵＥは、Ｍ個の好適ビームのうちの１つ又は複数に対応する受信ビームにより、下り制御情報を受信することができる。対応する受信ビームのいずれに対して、ＵＥは、同じ下り制御情報を受信することができる。
【００９４】
本開示の実施例において、異なるビームにおいて基地局側の第２の送信部によって送信される下り制御情報を含むシグナリングの送信は、符号分割多重（ＣＤＭ）、時間分割多重（ＴＤＭ）又は周波数分割多重（ＦＤＭ）の方式に基づいて多重することができる。よって、前記シグナリングは、基地局側で、異なるビームにおいて符号分割多重、時間分割多重又は周波数分割多重の方式で送信する。対応的に、ＵＥは、異なるビーム走査パターン（ｂｅａｍ  ｓｗｅｅｐｉｎｇ  ｐａｔｔｅｒｎ）でサーチスペースにおいてサーチ及び情報受信を行う必要がある。ここのビーム走査パターンは、規範により予め定められてもよく、報知情報又はＲＲＣなどで限定されてもよい。
【００９５】
具体的には、本開示の実施例の第１の実現方式において、ビーム走査パターンはＣＤＭビーム走査である。図１０は、本開示の実施例のサーチスペースＣＤＭビーム走査の例示図を示す。図１０に示すように、１つのスケジューリングユニット（ｓｃｈｅｄｕｌｉｎｇ  ｕｎｉｔ）において、横軸は時間を示し、縦軸は周波数を示す。この場合、基地局のａ、ｂ、ｃという３つの好適送信ビームのサーチスペースは、同じ時間／周波数リソースにあり、ＲＲＣは、ＰＤＣＣＨビーム走査に関係する複数のビーム−サーチスペース時間／周波数リソースを設定する。各ビームに対応するサーチスペースには、同じＤＣＩ情報が必ず含まれる。つまり、ＵＥはａ、ｂ又はｃのどちらに対応するサーチスペースにおいてサーチを行っても、ＤＣＩ情報を取得することができる。また、ＤＣＩをさらに復号することにより、ＤＣＩにおけるビーム指示情報によりＰＤＳＣＨの送信ビームを知ることができる。
【００９６】
本開示の実施例の第２の実現方式において、ビーム走査パターンはＴＤＭビーム走査である。図１１は、本開示の実施例におけるサーチスペースＴＤＭビーム走査の例示図を示す。図１１に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。各ビームに対応するサーチスペースには、同じＤＣＩ情報が含まれる。つまり、ＵＥは、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００９７】
本開示の実施例の第３の実現方式において、ビーム走査パターンはＦＤＭビーム走査である。図１２は、本開示の実施例におけるサーチスペースＦＤＭビーム走査の例示図を示す。図１２に示すように、１つのスケジューリングユニット（ｓｃｈｅｄｕｌｉｎｇ  ｕｎｉｔ）において、横軸は時間を示し、縦軸は周波数を示す。この場合、基地局の３つの好適送信ビームａ、ｂ、ｃのサーチスペースは、異なる時間リソースにあり、ＲＲＣは、ＰＤＣＣＨビーム走査に関するビーム−サーチスペース時間周波数リソースを設定する。ここで、各ビームに対応するサーチスペースには、同じＤＣＩ情報が含まれる。つまり、ＵＥは、ａ、ｂ又はｃのどちらに対応するサーチスペースにおいてサーチを行っても、ＤＣＩ情報を取得することができ、そして、ＤＣＩをさらに復号することにより、ＤＣＩにおけるビーム指示情報によりＰＤＳＣＨの送信ビームを知ることができる。
【００９８】
ここで、前記送信ビームは、ＣＳＩ−ＲＳベースのビームであってもよく、ＳＳ  ｂｌｏｃｋベースのビームであってもよい。ＰＤＣＣＨビームにおける、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆｉｇｕｒａｔｉｏｎ）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）、及びＳＳ  ｂｌｏｃｋ  ｉｎｄｅｘのうちの１つ又は複数を含むことができる。
【００９９】
本開示の一実施例において、第２の送信部１５２０は、前記下り制御情報に含まれるビーム指示情報により、その下りデータ情報送信用の送信ビームをＵＥに知らせることができる。即ち、基地局は、ＰＤＳＣＨの送信ビームを指示する情報をＤＣＩに含めて、全てのＮ個の好適ビームによりＵＥに送信する。ＵＥ側は、受信したＤＣＩ内容を復号することにより、基地局が採用するＰＤＳＣＨ伝送の送信ビームを知ることができる。
【０１００】
本開示に係る実施例による通信システムにおける基地局によれば、ユーザ装置は、基地局との間の通信インタラクションを用いて基地局の複数の送信ビームの好適ビーム、及び好適ビームに対応するＵＥの受信ビームを特定すると共に、いずれか１つまたは複数の受信ビームを用いて、基地局から送信される下り制御情報を受信することができる。これによって、通信ネットワークにおける情報の伝送品質が向上される。
【０１０１】
（第３の実施例）
以下、本開示の第３の実施例に係る下り伝送の復調方法について説明する。第３の実施例において、基地局は複数の送信ビームを有する。
【０１０２】
図１６は、本開示の第３の実施例に係る、ＵＥによって実行される下り伝送の復調方法を示す。当該方法により、ＵＥは、予め特定されたサーチスペースにおけるブラインド復号候補リソースブロックと前記基地局の送信ビームとの関係により、サーチスペースにおいて対応する受信ビームを利用してサーチし、基地局から送信される下り制御情報を受信する。
【０１０３】
図１６に示すように、ステップＳ１６０１において、ＵＥは、サーチスペース設定における、ＰＤＣＣＨをブラインド復号（ＢＤ、ｂｌｉｎｄ  ｄｅｃｏｄｉｎｇ）する候補リソースブロック（ｃａｎｄｉｄａｔｅ）と前記基地局の送信ビームとの関係を特定し、前記ブラインド復号候補リソースブロックは、１つ又は複数の時間周波数要素を含む。具体的には、サーチスペース設定において、ブラインド復号候補リソースブロックと前記基地局の送信ビームとの関係は、基地局によって設定され、ＭＩＢ又はＳＩＢ又はＲＲＣ信号などの報知情報によりＵＥに知らせることができる。
【０１０４】
ステップＳ１６０２において、ＵＥは、前記各ＰＤＣＣＨブラインド復号候補リソースブロックにおいて、前記関係に基づいて前記基地局の送信ビームを特定すると共に、前記基地局の送信ビームに対応する受信ビームを用いて、基地局の各ＰＤＣＣＨブラインド復号候補リソースブロックを受信し、前記下り制御情報に対応するリソースブロック及び対応する第２の送信ビームを取得する。具体的には、予め設定されたサーチスペース設定における、ブラインド復号候補リソースブロックと前記基地局の送信ビームとの関係が特定された後、基地局は、下り情報送信用の第２の送信ビームを選択し、前記関係に基づいて当該送信ビームに対応するブラインド復号候補リソースブロックにおいて下り制御情報を送信することができる。また、ＵＥは、予め設定された前記関係を知った後に、前記関係に基づいて、各ブラインド復号候補リソースブロックに対して、その対応する基地局の送信ビームを判断すると共に、当該ブラインド復号候補リソースブロックにおいて当該送信ビームに対応する受信ビームを用いてサーチし且つ情報受信を試みることにより、下り制御情報とその対応するブラインド復号候補リソースブロック、及び対応する基地局の第２の送信ビームを受信する。あるブラインド復号候補リソースブロックにおいて、ＵＥが下り制御情報を受信できなかったことは、基地局がこのブラインド復号候補リソースブロックに対応する送信ビームを選んで情報を送信していなかったことを意味する。あるブラインド復号候補リソースブロックにおいてＵＥが下り制御情報を受信したことは、基地局がそれに対応する第２の送信ビームにより下り制御情報を送信したことを意味する。ＵＥは、上記関係に基づいて、このブラインド復号候補リソースブロックに対応する基地局の送信ビームを特定すると共に、第２の送信ビームに対応する好適な第２受信ビームを選んで情報を受信した。したがって、本発明実施例の方法は、通信システムの通信品質を確保することができる。
【０１０５】
本開示の一実施例において、ブラインド復号候補リソースブロックは、異なるアグリゲーションレベル（ＡＬ、ａｇｇｒｅｇａｔｉｏｎ  ｌｅｖｅｌ）を有することができる。前記異なるアグリゲーションレベルにおいて、前記ブラインド復号候補リソースブロックは、異なる数の時間周波数要素を含む。例えば、ＬＴＥアグリゲーションレベルは、合計４種類を含み、それぞれが１／２／４／８である。５Ｇにおいて、アグリゲーションレベルは、ＬＴＥの場合と比べて変更する可能性がある。もちろん、本発明は、あらゆる定義におけるアグリゲーションレベルのＰＤＣＣＨの候補リソースブロックに適し、アグリゲーションレベルのないＰＤＣＣＨの候補リソースブロックにも適用する。図１７は、本開示の実施例において、ブラインド復号候補リソースブロックと基地局の送信ビームとの関係の設定の模式図を示す。スケジューリングユニットにおいて、サーチスペースは、アグリゲーションレベルＡＬ＝１、２、４、８に対応し、いずれも異なる設定を有する。候補リソースブロックは、ＰＤＣＣＨ領域、即ちサーチスペースにおいて、時間領域リソース−周波数領域リソースの順で配列してもよく、ＰＤＣＣＨ領域において周波数領域−時間領域の順で配列してもよい。図１７は、時間領域−周波数領域の順の例である。図１７に示すように、基地局側は、当該ユーザに対して、合計３つの好適ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも同様に、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが基地局の２つの送信ビームｂ、ｃにそれぞれ対応する。基地局は、下り制御情報を送信する際に、下り制御情報送信用の第２の送信ビームとアグリゲーションレベルが特定された後に、図１７におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、サーチスペース設定においてアグリゲーションレベルがｘでる、第２の送信ビームに対応するブラインド復号候補リソースブロックに基づいて送信するこ���ができる。対応的に、ＵＥがサーチスペースに対してビーム走査を行う際に、異なるアグリゲーションレベルの異なるブラインド復号候補リソースブロック及びその対応する送信ビームに対しては、異なる受信ビームを選択して走査する。つまり、基地局が下り制御チャネルを実際に伝送するリソースブロックについて、ＵＥは、対応する好適な受信ビームを選択して当該リソースブロックを復号することで、情報伝送品質を確保する。例えば、基地局は、送信ビームｃを用いて、アグリゲーションレベルが２であるリソースブロックにおいて下り制御チャネルを送信する際に、サーチスペース設定における、送信ビームｃとアグリゲーションレベル２に対応するリソースブロックに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが２である、送信ビームｃに対応するブラインド復号候補リソースブロックまで走査するときに、送信ビームｃに対応する好適な受信ビーム３を選択して当該リソースブロックを復号し、下り制御情報を取得する。
【０１０６】
図１８は、本開示の実施例において、ブラインド復号候補リソースブロックと基地局の送信ビームとの関係の設定の模式図を示し、そのサーチスペースに対する配列順が、周波数領域−時間領域である。図１７の例と類似するように、スケジューリングユニットにおいて、サーチスペースは、アグリゲーションレベルＡＬ＝１、２、４、８に対応し、いずれも異なる設定を有する。図１８に示すように、基地局側は同様に、当該ユーザに対して、３つの好適な送信ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが、基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが、基地局の２つの送信ビームｂ、ｃにそれぞれ対応する。基地局は、下り制御情報を送信する際に、下り制御情報送信用の第２の送信ビームとアグリゲーションレベルが特定された後に、図１８におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、サーチスペース設定においてアグリゲーションレベルがｘである、第２の送信ビームに対応するブラインド復号候補リソースブロックに基づいて送信することができる。対応的に、ＵＥがサーチスペースに対してビーム走査を行う際に、異なるアグリゲーションレベルの異なるブラインド復号候補リソースブロック及びその対応する送信ビームに対しては、異なる受信ビームを選択して走査する。つまり、基地局が下り制御チャネルを実際に伝送するリソースブロックについて、ＵＥは、対応する好適な受信ビームを選択して当該リソースブロックを復号し、情報伝送品質を確保する。例えば、基地局は、送信ビームａを用いて、アグリゲーションレベルが４であるリソースブロックにおいて下り制御チャネルを送信する際に、サーチスペース設定における、送信ビームａとアグリゲーションレベル４に対応するリソースブロックに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが４である、送信ビームａに対応するブラインド復号候補リソースブロックまで走査するときに、送信ビームａに対応する好適な受信ビーム１を選択して当該リソースブロックを復号し、下り制御情報を取得する。
【０１０７】
本開示の一実施例において、基地局が送信ビームによりＰＤＣＣＨインタラクション情報を送信する場合に、物理下り共有チャネル（ＰＤＳＣＨ）の伝送方式について、基地局は、下記の２つを選択することができる。１）上記第２の送信ビームによりＰＤＳＣＨ伝送を行う。２）第２の送信ビームによって送信されるＤＣＩに含まれるビーム指示情報により、ＰＤＳＣＨ伝送を行う送信ビームを指示し、且つ、特定されるビームにより下りデータ情報を送信する。対応的に、ＵＥも、基地局の上記２つの方式に対して、基地局のＰＤＳＣＨ伝送を行う送信ビームをそれぞれ特定し、且つ、その対応する好適な受信ビームを選択して受信する必要がある。第１の場合に、ＤＣＩにはビーム指示情報を含まなく、ＵＥは、ＰＤＣＣＨと同じ第２の送信ビームによりＰＤＳＣＨが伝送されると判断し、第２の受信ビームを選択して下りデータ情報を受信する。第２の場合に、ＵＥがＤＣＩを復号する場合、ＤＣＩに含まれるビーム指示情報に基づいてＰＤＳＣＨの送信ビームを特定し、下りデータ情報を受信する。ここで、前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆ．）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）およびＳＳ  ｂｌｏｃｋ  ｉｎｄｅｘのうちの１つ又は複数を含むことができる。
【０１０８】
本開示に係る実施例による通信システムにおいて実行される下り伝送の復調方法によれば、ユーザ装置は、所定のサーチスペース設定により、ビーム走査時に、好適な受信ビームを用いて、基地局から送信される下り情報を受信する。これによって、通信ネットワークにおける情報の伝送品質が向上される。
【０１０９】
以下、本開示の第３の実施例に係る、基地局によって実行される下り伝送の復調方法を示す。前記ＵＥによって実行される下り伝送の復調方法を説明する際に、当該方法の大部分の動作が既に説明された。よって、ここでは重複を回避するために同じ内容に対する説明を省略する。
【０１１０】
図１９は、本開示の第３の実施例に係る、基地局によって実行される下り伝送の復調方法を示す。当該方法により、基地局は、サーチスペース設定におけるブラインド復号候補リソースブロックと前記基地局の送信ビームとの関係に基づいて、下り情報送信用の送信ビームに対応するブラインド復号候補リソースブロックを特定し、それに基づいて下り制御情報を送信する。
【０１１１】
図１９に示すように、ステップＳ１９０１において、基地局は、サーチスペース設定における、ＰＤＣＣＨをブラインド復号（ＢＤ、ｂｌｉｎｄ  ｄｅｃｏｄｉｎｇ）する候補リソースブロック（ｃａｎｄｉｄａｔｅ）と前記基地局の送信ビームとの関係を特定し、前記ブラインド復号候補リソースブロックは、１つ又は複数の時間周波数要素を含む。具体的には、サーチスペース設定における、ブラインド復号候補リソースブロックと前記基地局の送信ビームとの関係は、基地局によって設定され、ＭＩＢ又はＳＩＢ又はＲＲＣ信号などの報知情報によりＵＥに知らせてもよく、ＬＴＥ規範等により予め限定されてもよい。
【０１１２】
ステップＳ１９０２において、基地局は、下り制御情報送信用の第２の送信ビームを特定し、前記関係に基づいて、特定される第２の送信ビームに対応する前記ブラインド復号候補リソースブロックにおいて前記下り制御情報を送信する。具体的には、予め設置されたサーチスペース設定における、ブラインド復号候補リソースブロックと前記基地局の送信ビームとの関係が特定された後、基地局は、下り情報送信用の第２の送信ビームを選択し、前記関係に基づいて当該送信ビームに対応するブラインド復号候補リソースブロックにおいて下り制御情報を送信することができる。また、ＵＥは、予め設置された前記関係を知った後に、前記関係に基づいて、各ブラインド復号候補リソースブロックに対して、その対応する基地局の送信ビームを判断すると共に、当該ブラインド復号候補リソースブロックにおいて当該送信ビームに対応する受信ビームを用いてサーチし情報受信を試みることにより、下り制御情報とその対応するブラインド復号候補リソースブロック、及び対応する基地局の第２の送信ビームを受信する。あるブラインド復号候補リソースブロックにおいて、ＵＥが下り制御情報を受信できなかったことは、基地局がこのブラインド復号候補リソースブロックに対応する送信ビームを選んで情報を送信していなかったことを意味する。あるブラインド復号候補リソースブロックにおいてＵＥが下り制御情報を受信したことは、基地局がその対応する第２の送信ビームにより下り制御情報を送信したことを意味する。ＵＥは、上記関係に基づいて、このブラインド復号候補リソースブロックに対応する基地局の送信ビームを特定すると共に、第２の送信ビームに対応する好適な第２受信ビームを選んで情報を受信した。したがって、本発明実施例の方法は、通信システムの通信品質を確保することができる。
【０１１３】
本開示の一実施例において、ブラインド復号候補リソースブロックは、異なるアグリゲーションレベル（ＡＬ、ａｇｇｒｅｇａｔｉｏｎ  ｌｅｖｅｌ）を有することができる。前記異なるアグリゲーションレベルにおいて、前記ブラインド復号候補リソースブロックは、異なる数の時間周波数要素を含む。例えば、ＬＴＥアグリゲーションレベルは、４種類を含み、それぞれが１／２／４／８である。５Ｇにおいて、アグリゲーションレベルは、ＬＴＥの場合と比べて変更する可能性がある。もちろん、本発明は、あらゆる定義におけるアグリゲーションレベルのＰＤＣＣＨの候補リソースブロックに適し、アグリゲーションレベルのないＰＤＣＣＨの候補リソースブロックにも適用する。図１７は、本開示の実施例において、ブラインド復号候補リソースブロックと基地局の送信ビームとの関係のサーチスペース設定の模式図を示す。スケジューリングユニットにおいて、サーチスペースは、アグリゲーションレベルＡＬ＝１、２、４、８に対応し、いずれも異なる設定を有する。候補リソースブロックは、ＰＤＣＣＨ領域、即ちサーチスペースにおいて、時間領域リソース−周波数領域リソースの順で配列してもよく、ＰＤＣＣＨ領域において周波数領域−時間領域の順で配列してもよい。図１７は、時間領域−周波数領域の順の例である。図１７に示すように、基地局側は、当該ユーザに対して、合計３つの好適ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが、基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが、基地局の２つの送信ビームｂ、ｃにそれぞれ対応する。基地局は、下り制御情報を送信する際に、下り制御情報送信用の第２の送信ビームとアグリゲーションレベルが特定された後に、図１７におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、サーチスペース設定においてアグリゲーションレベルがｘである、第２の送信ビームに対応するブラインド復号候補リソースブロックに基づいて���信することができる。対応的に、ＵＥは、サーチスペースに対してビーム走査を行う際に、異なるアグリゲーションレベルの異なるブラインド復号候補リソースブロック及びその対応する送信ビームに対して、異なる受信ビームを選択して走査する。つまり、基地局が下り制御チャネルを実際に伝送するリソースブロックについて、ＵＥは、対応する好適な受信ビームを選択して当該リソースブロックを復号し、情報伝送品質を確保する。例えば、基地局は、送信ビームｃを用いて、アグリゲーションレベルが２であるリソースブロックにおいて下り制御チャネルを送信する際に、サーチスペース設定における、送信ビームｃとアグリゲーションレベル２に対応するリソースブロックに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが２である、送信ビームｃに対応するブラインド復号候補リソースブロックまで走査するときに、送信ビームｃに対応する好適な受信ビーム３を選択して当該リソースブロックを復号し、下り制御情報を取得する。
【０１１４】
図１８は、本開示の実施例において、ブラインド復号候補リソースブロックと基地局の送信ビームとの関係のサーチスペース設定の模式図を示し、そのサーチスペースに対する配列順が、周波数領域−時間領域である。図１７の例と類似するように、スケジューリングユニットにおいて、サーチスペースは、アグリゲーションレベルＡＬ＝１、２、４、８に対応し、いずれも異なる設定を有する。図１８に示すように、基地局側も、当該ユーザに対して、３つの好適な送信ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが、基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが、基地局の２つの送信ビームｂ、ｃにそれぞれ対応する。基地局は、下り制御情報を送信する際に、下り制御情報送信用の第２の送信ビームとアグリゲーションレベルが特定された後に、図１８におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、サーチスペース設定においてアグリゲーションレベルがｘである、第２の送信ビームに対応するブラインド復号候補リソースブロックに基づいて送信することができる。対応的に、ＵＥは、サーチスペースに対してビーム走査を行う際に、異なるアグリゲーションレベルの異なるブラインド復号候補リソースブロック及びその対応する送信ビームに対して、異なる受信ビームを選択して走査する。つまり、基地局が下り制御チャネルを実際に伝送するリソースブロックについて、ＵＥは、対応する好適な受信ビームを選択して当該リソースブロックを復号し、情報伝送品質を確保する。例えば、基地局は、送信ビームａを用いて、アグリゲーションレベルが４であるリソースブロックにおいて下り制御チャネルを送信する際に、サーチスペース設定における、送信ビームａとアグリゲーションレベル４に対応するリソースブロックに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが４である、送信ビームａに対応するブラインド復号候補リソースブロックまで走査するときに、送信ビームａに対応する好適な受信ビーム１を選択して当該リソースブロックを復号し、下り制御情報を取得する。
【０１１５】
本開示の一実施例において、基地局が送信ビームによりＰＤＣＣＨインタラクション情報を送信する場合に、物理下り共有チャネル（ＰＤＳＣＨ）の伝送方式について、基地局は、下記の２つを選択することができる。１）上記第２の送信ビームによりＰＤＳＣＨ伝送を行う。２）第２の送信ビームによって送信されるＤＣＩに含まれるビーム指示情報により、ＰＤＳＣＨ伝送を行う送信ビームを指示し、特定されるビームにより下りデータ情報を送信する。対応的に、ＵＥも、基地局の上記２つの方式に対して、基地局のＰＤＳＣＨ伝送を行う送信ビームをそれぞれ特定し、その対応する好適な受信ビームを選択して受信する必要がある。ここで、第１の場合に、ＤＣＩにはビーム指示情報を含まなく、ＵＥは、ＰＤＣＣＨと同じ第２の送信ビームによりＰＤＳＣＨが伝送されると判断し、第２の受信ビームを選択して下りデータ情報を受信する。第２の場合に、ＵＥは、ＤＣＩを復号する場合、ＤＣＩに含まれるビーム指示情報に基づいてＰＤＳＣＨの送信ビームを特定し、下りデータ情報を受信する。前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆ．）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）およびＳＳ  ｂｌｏｃｋ  ｉｎｄｅｘのうちの１つ又は複数を含むことができる。
【０１１６】
本開示に係る実施例による通信システムにおいて実行される下り伝送の復調方法によれば、ユーザ装置は、所定サーチスペース設定により、ビーム走査時に、好適な受信ビームを用いて、基地局から送信される下り情報を受信する。これによって、通信ネットワークにおける情報の伝送品質が向上される。
【０１１７】
以下、図２０を参照しながら本開示の第３の実施例に係るＵＥについて説明する。当該ＵＥは、上記下り伝送の復調方法を実行することができる。当該ＵＥの動作が前記下り伝送の復調方法の各ステップとほぼ同じであるため、ここでは簡略的に説明し、同じ内容に対する重複説明を省略する。
【０１１８】
図２０に示すように、ＵＥ２０００は、第１の関係特定部２０１０とブラインド復号受信部２０２０を含む。なお、図２０は、本開示の実施例に関する部材のみを示したが、その他の部材を省略した。しかし、これは例示的なものであり、必要に応じて、ＵＥ２０００がその他の部材を含む可能性があることは理解されるべきである。
【０１１９】
第１の関係特定部２０１０は、サーチスペース設定における、ＰＤＣＣＨをブラインド復号（ＢＤ、ｂｌｉｎｄ  ｄｅｃｏｄｉｎｇ）する候補リソースブロック（ｃａｎｄｉｄａｔｅ）と前記基地局の送信ビームとの関係を特定し、前記ブラインド復号候補リソースブロックは、１つ又は複数の時間周波数要素を含む。具体的には、サーチスペース設定における、ブラインド復号候補リソースブロックと前記基地局の送信ビームとの関係は、基地局によって設定され、ＭＩＢ又はＳＩＢ又はＲＲＣ信号などの報知情報によりＵＥに知らせてもよく、ＬＴＥ規範等により予め限定されてもよい。
【０１２０】
ブラインド復号受信部２０２０は、前記各ＰＤＣＣＨブラインド復号候補リソースブロックにおいて、前記関係に基づいて前記基地局の送信ビームを特定すると共に、前記基地局の送信ビームに対応する受信ビームを用いて、基地局の各ＰＤＣＣＨブラインド復号候補リソースブロックを受信し、前記下り制御情報に対応するブラインド復号候補リソースブロック及び対応する第２の送信ビームを取得する。具体的には、予め設置されたサーチスペース設定における、ブラインド復号候補リソースブロックと前記基地局の送信ビームとの関係が特定された後、基地局は、下り情報送信用の第２の送信ビームを選択し、前記関係に基づいて当該送信ビームに対応するブラインド復号候補リソースブロックにおいて下り制御情報を送信することができる。また、ブラインド復号受信部２０２０は、予め設定された前記関係を知った後に、前記関係に基づいて、各ブラインド復号候補リソースブロックに対して、その対応する基地局の送信ビームを判断すると共に、当該ブラインド復号候補リソースブロックにおいて当該送信ビームに対応する受信ビームを用いてサーチし情報受信を試みることにより、下り制御情報とその対応するブラインド復号候補リソースブロック、及び対応する基地局の第２の送信ビームを受信する。あるブラインド復号候補リソースブロックにおいて、ブラインド復号受信部２０２０が下り制御情報を受信できなかったことは、基地局がこのブラインド復号候補リソースブロックに対応する送信ビームを選んで情報を送信していなかったことを意味する。あるブラインド復号候補リソースブロックにおいてブラインド復号受信部２０２０が下り制御情報を受信したことは、基地局がその対応する第２の送信ビームにより下り制御情報を送信したことを意味する。ブラインド復号受信部２０２０は、上記関係に基づいて、このブラインド復号候補リソースブロックに対応する基地局の送信ビームを特定すると共に、第２の送信ビームに対応する好適な第２受信ビームを選んで情報を受信した。したがって、本発明実施例の方法は、通信システムの通信品質を確保することができる。
【０１２１】
本開示の一実施例において、ブラインド復号候補リソースブロックは、異なるアグリゲーションレベル（ＡＬ、ａｇｇｒｅｇａｔｉｏｎ  ｌｅｖｅｌ）を有することができる。前記異なるアグリゲーションレベルにおいて、前記ブラインド復号候補リソースブロックは、異なる数の時間周波数要素を含む。例えば、ＬＴＥアグリゲーションレベルは、合計４種類を含み、それぞれが１／２／４／８である。５Ｇにおいて、アグリゲーションレベルは、ＬＴＥの場合と比べて変更する可能性がある。もちろん、本発明は、あらゆる定義におけるアグリゲーションレベルのＰＤＣＣＨの候補リソースブロックに適し、アグリゲーションレベルのないＰＤＣＣＨの候補リソースブロックにも適用する。図１７は、本開示の実施例において、ブラインド復号候補リソースブロックと基地局の送信ビームとの関係のサーチスペース設定の模式図を示す。スケジューリングユニットにおいて、サーチスペースは、アグリゲーションレベルＡＬ＝１、２、４、８に対応し、いずれも異なる設定を有する。候補リソースブロックは、ＰＤＣＣＨ領域、即ちサーチスペースにおいて、時間領域リソース−周波数領域リソースの順で配列してもよく、ＰＤＣＣＨ領域において周波数領域−時間領域の順で配列してもよい。図１７は、時間領域−周波数領域の順の例である。図１７に示すように、基地局側は、当該ユーザに対して、合計３つの好適ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが、基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが、基地局の２つの送信ビームｂ、ｃにそれぞれ対応する。基地局は、下り制御情報を送信する際に、下り制御情報送信用の第２の送信ビームとアグリゲーションレベルが特定された後に、図１７におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、サーチスペース設定においてアグリゲーションレベルがｘである、第２の送信ビームに対応するブラインド復号候補リソースブロックに基づ���て送信することができる。対応的に、ＵＥは、サーチスペースに対してビーム走査を行う際に、異なるアグリゲーションレベルの異なるブラインド復号候補リソースブロック及びその対応する送信ビームに対して、異なる受信ビームを選択して走査する。つまり、基地局が下り制御チャネルを実際に伝送するリソースブロックについて、ＵＥは、対応する好適受信ビームを選択して当該リソースブロックを復号し、情報伝送品質を確保する。例えば、基地局は、送信ビームｃを用いて、アグリゲーションレベルが２であるリソースブロックにおいて下り制御チャネルを送信する際に、サーチスペース設定における、送信ビームｃとアグリゲーションレベル２に対応するリソースに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが２である、送信ビームｃに対応するブラインド復号候補リソースブロックまで走査するときに、送信ビームｃに対応する好適な受信ビーム３を選択して当該リソースブロックを復号し、下り制御情報を取得する。
【０１２２】
図１８は、本開示の実施例において、ブラインド復号候補リソースブロックと基地局の送信ビームとの関係のサーチスペース設定の模式図を示し、そのサーチスペースに対する配列順が、周波数領域−時間領域である。図１７の例と類似するように、スケジューリングユニットにおいて、サーチスペースは、アグリゲーションレベルＡＬ＝１、２、４、８に対応し、いずれも異なる設定を有する。図１８に示すように、基地局側も、当該ユーザに対して、３つの好適な送信ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが、基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが、基地局の２つの送信ビームｂ、ｃにそれぞれ対応する。基地局は、下り制御情報を送信する際に、下り制御情報送信用の第２の送信ビームとアグリゲーションレベルが特定された後に、図１８におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、サーチスペース設定においてアグリゲーションレベルがｘである、第２の送信ビームに対応するブラインド復号候補リソースブロックに基づいて送信することができる。対応的に、ＵＥは、サーチスペースに対してビーム走査を行う際に、異なるアグリゲーションレベルの異なるブラインド復号候補リソースブロック及びその対応する送信ビームに対して、異なる受信ビームを選択して走査する。つまり、基地局が下り制御チャネルを実際に伝送するリソースブロックについて、ＵＥは、対応する好適な受信ビームを選択して当該リソースブロックを復号し、情報伝送品質を確保する。例えば、基地局は、送信ビームａを用いて、アグリゲーションレベルが４であるリソースブロックにおいて下り制御チャネルを送信する際に、サーチスペース設定における、送信ビームａとアグリゲーションレベル４に対応するリソースブロックに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが４である、送信ビームａに対応するブラインド復号候補リソースブロックまで走査するときに、送信ビームａに対応する好適な受信ビーム１を選択して当該リソースブロックを復号し、下り制御情報を取得する。
【０１２３】
本開示の一実施例において、基地局が送信ビームによりＰＤＣＣＨインタラクション情報を送信する場合に、物理下り共有チャネル（ＰＤＳＣＨ）の伝送方式について、基地局は、下記の２つを選択することができる。１）上記第２の送信ビームによりＰＤＳＣＨ伝送を行う。２）第２の送信ビームによって送信されるＤＣＩに含まれるビーム指示情報により、ＰＤＳＣＨ伝送を行う送信ビームを指示し、特定されるビームにより下りデータ情報を送信する。対応的に、ＵＥのブラインド復号受信部２０２０も、基地局の上記２つの方式に対して、基地局のＰＤＳＣＨ伝送を行う送信ビームをそれぞれ特定し、その対応する好適な受信ビームを選択して受信する必要がある。第１の場合に、ＤＣＩにはビーム指示情報を含まなく、ＵＥのブラインド復号受信部２０２０は、ＰＤＣＣＨと同じ第２の送信ビームによりＰＤＳＣＨが伝送されると判断し、第２の受信ビームを選択して下りデータ情報を受信する。第２の場合に、ブラインド復号受信部２０２０は、ＤＣＩを復号する場合、ＤＣＩに含まれるビーム指示情報に基づいてＰＤＳＣＨの送信ビームを特定し、下りデータ情報を受信する。前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆ．）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）およびＳＳ  ｂｌｏｃｋ  ｉｎｄｅｘのうちの１つ又は複数を含むことができる。
【０１２４】
本開示に係る実施例による通信システムにおけるＵＥによれば、ユーザ装置は、所定サーチスペース設定により、ビーム走査時に、好適な受信ビームを用いて、基地局から送信される下り情報を受信する。これによって、通信ネットワークにおける情報の伝送品質が向上される。
【０１２５】
以下、図２１を参照しながら本開示の第３の実施例に係る基地局について説明する。当該基地局は、上記下り伝送の復調方法を実行することができる。当該基地局の動作が前記下り伝送の復調方法の各ステップとほぼ同じであるため、ここでは簡略的に説明し、同じ内容に対する重複説明を省略する。
【０１２６】
図２１に示すように、基地局２１００は、第２の関係特定部２１１０と第３の送信部２１２０を含む。なお、図２１は、本開示の実施例に関する部材のみを示したが、その他の部材を省略した。しかし、これは例示的なものであり、必要に応じて、基地局２１００がその他の部材を含む可能性があることは理解されるべきである。
【０１２７】
第２の関係特定部２１１０は、サーチスペース設定における、ＰＤＣＣＨをブラインド復号（ＢＤ、ｂｌｉｎｄ  ｄｅｃｏｄｉｎｇ）する候補リソースブロック（ｃａｎｄｉｄａｔｅ）と前記基地局の送信ビームとの関係を特定し、前記ブラインド復号候補リソースブロックは、１つ又は複数の時間周波数要素を含む。具体的には、サーチスペース設定における、ブラインド復号候補リソースブロックと前記基地局の送信ビームとの関係は、基地局によって設定され、ＭＩＢ又はＳＩＢ又はＲＲＣ信号などの報知情報によりＵＥに知らせてもよく、ＬＴＥ規範等により予め限定されてもよい。
【０１２８】
第３の送信部２１２０は、下り制御情報送信用の第２の送信ビームを特定し、前記関係に基づいて、特定される第２の送信ビームに対応する前記ブラインド復号候補リソースブロックにおいて前記下り制御情報を送信する。具体的には、予め設定されたサーチスペース設定における、ブラインド復号候補リソースブロックと前記基地局の送信ビームとの関係が特定された後、第３の送信部２１２０は、下り情報送信用の第２の送信ビームを選択し、前記関係に基づいて当該送信ビームに対応するブラインド復号候補リソースブロックにおいて下り制御情報を送信することができる。また、ＵＥは、予め設定された前記関係を知った後に、前記関係に基づいて、各ブラインド復号候補リソースブロックに対して、その対応する基地局の送信ビームを判断すると共に、当該ブラインド復号候補リソースブロックにおいて当該送信ビームに対応する受信ビームを用いてサーチし情報受信を試みることにより、下り制御情報とその対応するブラインド復号候補リソースブロック、及び対応する基地局の第２の送信ビームを受信する。あるブラインド復号候補リソースブロックにおいて、ＵＥが下り制御情報を受信できなかったことは、基地局がこのブラインド復号候補リソースブロックに対応する送信ビームを選んで情報を送信していなかったことを意味する。あるブラインド復号候補リソースブロックにおいてＵＥが下り制御情報を受信したことは、基地局がその対応する第２の送信ビームにより下り制御情報を送信したことを意味する。ＵＥは、上記関係に基づいて、このブラインド復号候補リソースブロックに対応する基地局の送信ビームを特定すると共に、第２の送信ビームに対応する好適な第２受信ビームを選んで情報を受信した。したがって、本発明実施例の方法は、通信システムの通信品質を確保することができる。
【０１２９】
本開示の一実施例において、ブラインド復号候補リソースブロックは、異なるアグリゲーションレベル（ＡＬ、ａｇｇｒｅｇａｔｉｏｎ  ｌｅｖｅｌ）を有することができる。前記異なるアグリゲーションレベルにおいて、前記ブラインド復号候補リソースブロックは、異なる数の時間周波数要素を含む。例えば、ＬＴＥアグリゲーションレベルは、合計４種類を含み、それぞれが１／２／４／８である。５Ｇにおいて、アグリゲーションレベルは、ＬＴＥの場合と比べて変更する可能性がある。もちろん、本発明は、あらゆる定義におけるアグリゲーションレベルのＰＤＣＣＨの候補リソースブロックに適し、アグリゲーションレベルのないＰＤＣＣＨの候補リソースブロックにも適用する。図１７は、本開示の実施例において、ブラインド復号候補リソースブロックと基地局の送信ビームとの関係のサーチスペース設定の模式図を示す。スケジューリングユニットにおいて、サーチスペースは、アグリゲーションレベルＡＬ＝１、２、４、８に対応し、いずれも異なる設定を有する。候補リソースブロックは、ＰＤＣＣＨ領域、即ちサーチスペースにおいて、時間領域リソース−周波数領域リソースの順で配列してもよく、ＰＤＣＣＨ領域において周波数領域−時間領域の順で配列してもよい。図１７は、時間領域−周波数領域の順の例である。図１７に示すように、基地局側は、当該ユーザに対して、合計３つの好適ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが、基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが、基地局の２つの送信ビームｂ、ｃにそれぞれ対応する。基地局は、下り制御情報を送信する際に、下り制御情報送信用の第２の送信ビームとアグリゲーションレベルが特定された後に、図１７におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、当該基地局は、サーチスペース設定においてアグリゲーションレベルがｘである、第２の送信ビームに対応するブラインド復号候補リソース���ロックに基づいて送信することができる。対応的に、ＵＥは、サーチスペースに対してビーム走査を行う際に、異なるアグリゲーションレベルの異なるブラインド復号候補リソースブロック及びその対応する送信ビームに対して、異なる受信ビームを選択して走査する。つまり、基地局が下り制御チャネルを実際に伝送するリソースブロックについて、ＵＥは、対応する好適な受信ビームを選択して当該リソースブロックを復号し、情報伝送品質を確保する。例えば、基地局は、送信ビームｃを用いて、アグリゲーションレベルが２であるリソースブロックにおいて下り制御チャネルを送信する際に、サーチスペース設定における、送信ビームｃとアグリゲーションレベル２に対応するリソースブロックに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが２である、送信ビームｃに対応するブラインド復号候補リソースブロックまで走査するときに、送信ビームｃに対応する好適な受信ビーム３を選択して当該リソースブロックを復号し、下り制御情報を取得する。
【０１３０】
図１８は、本開示の実施例において、ブラインド復号候補リソースブロックと基地局の送信ビームとの関係のサーチスペース設定の模式図を示し、そのサーチスペースに対する配列順が、周波数領域−時間領域である。図１７の例と類似するように、スケジューリングユニットにおいて、サーチスペースは、アグリゲーションレベルＡＬ＝１、２、４、８に対応し、いずれも異なる設定を有する。図１８に示すように、基地局側も、当該ユーザに対して、３つの好適な送信ビームａ、ｂ、ｃを有する。ブラインド復号候補リソースブロックのアグリゲーションレベルが１である場合に、その６つの候補リソースブロックは、基地局の３つの送信ビームａ、ｂ、ｃにそれぞれ対応し、各候補リソースブロックがそれぞれ１つの時間周波数要素を含むことができる。アグリゲーションレベルが２である場合に、各候補リソースブロックは、アグリゲーションレベルが１である候補リソースブロックの２倍であり、いずれも２つの時間周波数要素を含み、その６つの候補リソースブロックも、基地局の３つの送信ビームａ、ｂ、ｃにそれぞれ対応することができる。アグリゲーションレベルが４である場合に、各候補リソースブロックは、アグリゲーションレベルが１である候補リソースブロックの４倍であり、いずれも４つの時間周波数要素を含み、その２つの候補リソースブロックが、基地局の２つの送信ビームａ、ｂにそれぞれ対応する。アグリゲーションレベルが８である場合に、各候補リソースブロックは、アグリゲーションレベルが１である候補リソースブロックの８倍であり、いずれも８つの時間周波数要素を含み、その２つの候補リソースブロックが、基地局の２つの送信ビームｂ、ｃにそれぞれ対応する。基地局は、下り制御情報を送信する際に、下り制御情報送信用の第２の送信ビームとアグリゲーションレベルが特定された後に、図１８におけるサーチスペース設定に基づいて第２の送信ビームに対応するリソースブロックを特定することができる。例示的に、基地局は、例えばチャネル状況に基づいて、ある送信ビームを第２の送信ビームとして特定して下り情報を送信し、かつアグリゲーションレベルがｘである場合に、当該基地局は、サーチスペース設定においてアグリゲーションレベルがｘである、第２の送信ビームに対応するブラインド復号候補リソースブロックに基づいて送信することができる。対応的に、ＵＥは、サーチスペースに対してビーム走査を行う際に、異なるアグリゲーションレベルの異なるブラインド復号候補リソースブロック及びその対応する送信ビームに対して、異なる受信ビームを選択して走査する。つまり、基地局が下り制御チャネルを実際に伝送するリソースブロックについて、ＵＥは、対応する好適な受信ビームを選択して当該リソースブロックを復号し、情報伝送品質を確保する。例えば、基地局は、送信ビームａを用いて、アグリゲーションレベルが４であるリソースブロックにおいて下り制御チャネルを送信する際に、サーチスペース設定における、送信ビームａとアグリゲーションレベル４に対応するリソースブロックに基づいて送信することができる。対応的に、ＵＥは、サーチスペースに対してビーム走査を行う際に、アグリゲーションレベル１、２、４及び８のブラインド復号候補リソースブロックに対して、それぞれ異なる受信ビームを選択して走査する。ここで、ＵＥは、アグリゲーションレベルが４である、送信ビームａに対応するブラインド復号候補リソースブロックまで走査するときに、送信ビームａに対応する好適な受信ビーム１を選択して当該リソースブロックを復号し、下り制御情報を取得する。
【０１３１】
本開示の一実施例において、基地局の第３の送信部２１２０が送信ビームによりＰＤＣＣＨインタラクション情報を送信する場合に、物理下り共有チャネル（ＰＤＳＣＨ）の伝送方式について、基地局は、下記の２つを選択することができる。１）上記第２の送信ビームによりＰＤＳＣＨ伝送を行う。２）第２の送信ビームによって送信されるＤＣＩに含まれるビーム指示情報により、ＰＤＳＣＨ伝送を行う送信ビームを指示し、特定されるビームにより下りデータ情報を送信する。対応的に、ＵＥも、基地局の上記２つの方式に対して、基地局のＰＤＳＣＨ伝送を行う送信ビームをそれぞれ特定し、その対応する好適な受信ビームを選択して受信する必要がある。第１の場合に、第３の送信部２１２０によって送信されるＤＣＩにはビーム指示情報を含まなく、ＵＥは、ＰＤＣＣＨと同じ第２の送信ビームによりＰＤＳＣＨが伝送されると判断し、第２の受信ビームを選択して下りデータ情報を受信する。第２の場合に、ＵＥがＤＣＩを復号する場合、ＤＣＩに含まれるビーム指示情報に基づいてＰＤＳＣＨの送信ビームを特定し、下りデータ情報を受信する。前記送信ビームは、ＣＳＩ−ＲＳベースのビームであってもよく、ＳＳ  ｂｌｏｃｋベースのビームであってもよい。ＰＤＣＣＨビームにおいて、ＰＤＣＣＨビーム走査に関するビーム−サーチスペース時間周波数リソースの関係を設定するためのＲＲＣ設定シグナリング又はＤＣＩにおけるビーム指示情報は、ビーム情報（ｂｅａｍ−ｉｎｄｅｘ）、チャネル状態情報参照信号ポート（ＣＳＩ−ＲＳ  ｐｏｒｔ）、チャネル状態情報参照信号設定（ＣＳＩ−ＲＳ  ｃｏｎｆ．）、ビーム参照信号設定（ｂｅａｍ  ｒｅｆｅｒｅｎｃｅ  ｓｉｇｎａｌ  ｃｏｎｆ．）、コードブック（ｃｏｄｅｂｏｏｋ）、コードワード（ｃｏｄｅ  ｗｏｒｄ）、プリコーディング情報指示（ｐｒｅｃｏｄｉｎｇ  ｉｎｆｏｒｍａｔｉｏｎ  ｉｎｄｉｃａｔｉｏｎ）およびＳＳ  ｂｌｏｃｋ  ｉｎｄｅｘのうちの１つ又は複数を含むことができる。
【０１３２】
本開示に係る実施例による通信システムにおける基地局によれば、ユーザ装置は、所定サーチスペース設定により、ビーム走査時に、好適な受信ビームを用いて、基地局から送信される下り情報を受信する。これによって、通信ネットワークにおける情報の伝送品質が向上される。
【０１３３】
なお、本明細書において、用語「含む」、「備える」又はその他の変形は、非排他的な包含をカバーすることを意図する。よって、一連の要素を含む手順、方法、物品、又は装置は、それらの要素を含むほか、明確に列挙されていない他の要素をさらに含み、又はこのような手順、方法、物品又は装置に固有の要素をさらに含むようになる。更なる制限がない場合、「１つの……を含む」という文句で限定された要素は、前記要素を含む手順、方法、物品、又は装置における他の同じ要素の存在を除外するものではない。
【０１３４】
最後に、さらに説明したいのは、上記の一連の処理は、ここで述べた順序で時間順に従って実行された処理のみならず、並行的又は別々に、時間順に従わずに実行された処理も含む。
【０１３５】
以上の実施方式の説明により、本開示がソフトウェア並びに必須のハードウェアプラットフォームの方式によって実現されうるし、全部ハードウェアで実施されうることは、当業者にとって明確に理解されるべきである。このような理解に基づいて、本開示の技術案の背景技術に対する貢献の全て又は一部は、ソフトウェア製品の形で表すことができる。当該コンピュータソフトウェア製品は、例えばＲＯＭ／ＲＡＭ、ディスク、光ディスクなどの記憶媒体に記憶され、本開示の各実施例又は実施例の何らかの部分に記載された方法を１つのコンピュータ装置（パーソナルコンピュータ、サーバー、又はネットワーク装置などであってもよい）に実行させるためのいくつかの指令を含んでもよい。
【０１３６】
以上、本開示について詳しく紹介したが、本文において具体例を用いて本開示の原理及び実施方式を述べたが、以上の実施例の説明はただ本開示の方法及びそのコア思想に対する理解を促進するためのものである。また、当業者は、本開示の思想に基づいて、具体的な実施例及び応用範囲について変更を行うことができる。以上をまとめると、本明細書の内容は、本開示を限定するものと解釈すべきではない。
【図１】
2020500466.tif 000003
【図２】
2020500466.tif 000004
【図３】
2020500466.tif 000005
【図４】
2020500466.tif 000006
【図５】
2020500466.tif 000007
【図６】
2020500466.tif 000008
【図７】
2020500466.tif 000009
【図８】
2020500466.tif 000010
【図９】
2020500466.tif 000011
【図１０】
2020500466.tif 000012
【図１１】
2020500466.tif 000013
【図１２】
2020500466.tif 000014
【図１３】
2020500466.tif 000015
【図１４】
2020500466.tif 000016
【図１５】
2020500466.tif 000017
【図１６】
2020500466.tif 000018
【図１７】
2020500466.tif 000019
【図１８】
2020500466.tif 000020
【図１９】
2020500466.tif 000021
【図２０】
2020500466.tif 000022
【図２１】
2020500466.tif 000023
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
複数の送信ビームを有する基地局と、ユーザ装置とを備える通信システムにおいて、ユーザ装置によって実行されるビーム特定方法であって、
前記基地局の送信ビームに対するＣＳＩフィードバックを前記基地局に送信するステップと、
所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信された下り制御情報を受信するステップと、を含む、ビーム特定方法。
【請求項２】
前記第１の送信ビームに対応する第１の受信ビームにより、前記基地局から前記第１の送信ビームにより送信された下りデータ情報を受信するステップ、或いは、
受信した下り制御情報に含まれる、下りデータチャネルのビームを指示する情報により、前記基地局の下りデータ情報送信用の送信ビームを特定するステップ、をさらに含む、請求項１に記載の方法。
【請求項３】
複数の送信ビームを有する基地局を含む通信システムにおけるユーザ装置であって、
前記基地局の送信ビームに対するＣＳＩフィードバックを前記基地局に送信するように構成されるフィードバック部と、
所定時間ウィンドウ内の前記基地局の送信ビームのＣＳＩフィードバックに基づいて、所定時間ウィンドウ範囲内のＣＳＩフィードバックを有する基地局の送信ビームの全てのうちから、前記基地局の第１の送信ビームを特定すると共に、前記第１の送信ビームに対応する第１の受信ビームにより、前記基地局から前記第１の送信ビームにより送信される下り制御情報を受信するように構成されるビーム特定部と、を含む、ユーザ装置。
【請求項４】
前記ビーム特定部は、
前記第１の送信ビームに対応する第１の受信ビームにより、前記基地局から前記第１の送信ビームにより送信された下りデータ情報を受信し、或いは、
受信した下り制御情報に含まれる、下りデータチャネルのビームを指示する情報により、前記基地局の下りデータ情報送信用の送信ビームを特定する、請求項３に記載のユーザ装置。
【請求項５】
ユーザ装置を含む通信システムにおける、複数の送信ビームを有する基地局であって、
ユーザ装置から送信される、前記基地局の送信ビームに対するＣＳＩフィードバックを受信するように構成される受信部と、
所定時間ウィンドウ内の前記基地局の送信ビームのＣＳＩフィードバックに基づいて、所定時間ウィンドウ範囲内のＣＳＩフィードバックを有する基地局の送信ビームの全てのうちから、基地局の第１の送信ビームを特定すると共に、前記第１の送信ビームにより下り制御情報を送信するように構成される第１の送信部と、を含む、基地局。
【請求項６】
前記第１の送信部は、
前記第１の送信ビームにより、下りデータ情報を前記ユーザ装置に送信し、或いは、
前記下り制御情報に含まれる、下りデータチャネルのビームを指示する情報により、下りデータ情報送信用の送信ビームを前記ユーザ装置に通知する、請求項５に記載の基地局。
【請求項７】
複数の送信ビームを有する基地局と、ユーザ装置とを備える通信システムにおいて、ユーザ装置によって実行される下り伝送の復調方法であって、
前記基地局の複数の送信ビームのうちのＭ個の好適ビームを特定するステップと、
前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであるステップと、を含み、
前記下り制御情報の送信期間において、前記基地局が前記Ｎ個の好適ビームにより、同じ下り制御情報を含むシグナリングを送信する、方法。
【請求項８】
複数の送信ビームを有する基地局を含む通信システムにおけるユーザ装置であって、
前記基地局の複数の送信ビームのうちのＭ個の好適ビームを特定するように構成される第１の優先選択部と、
前記Ｍ個の好適ビームのうちのＮ個の好適ビームのいずれか１つ又は複数に対応する１つ又は複数の受信ビームにより、前記基地局から送信される下り制御情報を受信し、Ｎ≦Ｍであるように構成される情報受信部と、を含み、
前記下り制御情報の送信期間において、前記基地局が前記Ｎ個の好適ビームにより、同じ下り制御情報を含むシグナリングを送信する、ユーザ装置。
【請求項９】
前記情報受信部は、受信した下り制御情報に含まれる、下りデータチャネルのビームを指示する情報により、前記基地局の下りデータ情報送信用の送信ビームを特定する、請求項８に記載のユーザ装置。
【請求項１０】
ユーザ装置を含む通信システムにおける、複数の送信ビームを有する基地局であって、
前記基地局の複数の送信ビームのうちのＭ個の好適ビームを特定するように構成される第２の優先選択部と、
前記Ｍ個の好適ビームのうちのＮ個の好適ビームにより、同じ下り制御情報を含むシグナリングを送信し、Ｎ≦Ｍであるように構成される第２の送信部と、を含む、基地局。
【請求項１１】
前記第２の送信部は、前記下り制御情報に含まれる、下りデータチャネルのビームを指示する情報により、下りデータ情報送信用の送信ビームを前記ユーザ装置に通知する、請求項１０に記載の基地局。
【請求項１２】
複数の送信ビームを有する基地局と、ユーザ装置とを備える通信システムにおいて、ユーザ装置によって実行される下り伝送の復調方法であって、
制御情報設定における、１つ又は複数の時間周波数要素を含む候補制御リソースブロックと、前記基地局の送信ビームとの関係を特定するステップと、
前記候補制御リソースブロックにおいて、前記関係に基づいて前記基地局の送信ビームを特定すると共に、前記基地局の送信ビームに対応する受信ビームを用いて、基地局から送信される下り制御情報を受信し、前記下り制御情報に対応するリソースブロック及び対応する第２の送信ビームを取得するステップと、を含む、方法。
【請求項１３】
複数の送信ビームを有する基地局を含む通信システムにおけるユーザ装置であって、
制御情報設定における、１つ又は複数の時間周波数要素を含む候補制御リソースブロックと前記基地局の送信ビームとの関係を特定するように構成される第１の関係特定部と、
前記候補制御リソースブロックにおいて、前記関係に基づいて前記基地局の送信ビームを特定すると共に、前記基地局の送信ビームに対応する受信ビームを用いて、基地局から送信される下り制御情報を受信し、前記下り制御情報に対応するリソースブロック及び対応する第２の送信ビームを取得するように構成されるブラインド復号受信部と、を含む、ユーザ装置。
【請求項１４】
前記候補制御リソースブロックと前記基地局の送信ビームとの関係は、予め特定される、或いは、報知情報又はＲＲＣシグナリングによって設定される、請求項１３に記載のユーザ装置。
【請求項１５】
前記ブラインド復号受信部は、
前記第２の送信ビームに対応する第２の受信ビームにより、前記基地局から送信される下りデータ情報を受信し、或いは、
受信した下り制御情報に含まれる、下りデータチャネルのビームを指示する情報により、前記基地局の下りデータ情報送信用の送信ビームを特定する、請求項１３に記載のユーザ装置。
【国際調査報告】
2020500466.tif 000024
2020500466.tif 000025
2020500466.tif 000026
2020500466.tif 000027